(57)【特許請求の範囲】
【請求項１】
マルチキャスト制御チャネル（ＭＣＣＨ）変更通知を構築することと、
第２のセルの第２の周波数上で第１のセルの第１の周波数についてのキャリア周波数インデックスを有する前記ＭＣＣＨ変更通知を送ることと
を備え、前記ＭＣＣＨ変更通知は、ＭＣＣＨ変更を示すために、ＭＢＳＦＮエリア情報を含み、前記ＭＣＣＨ変更通知は、前記ＭＣＣＨ変更を示すために、ＭＢＳＦＮエリアごとに１ビットを含む、発展型ノードＢ（ｅＮＢ）のワイヤレス通信の方法。
【請求項２】
前記ＭＣＣＨ変更通知は、物理ダウンリンク制御チャネル（ＰＤＣＣＨ）内で送られる、
請求項１に記載の方法。
【請求項３】
前記ＭＣＣＨ変更通知は、ダウンリンク制御情報（ＤＣＩ）内で送られる、
請求項２に記載の方法。
【請求項４】
前記ＤＣＩは、ＤＣＩフォーマット１Ｃメッセージ内で送られる、
請求項３に記載の方法。
【請求項５】
前記ＤＣＩは、前記ＭＣＣＨ変更通知が適用される前記第１のセルの周波数インデックスを識別する前記キャリア周波数インデックスをさらに含む、
請求項３に記載の方法。
【請求項６】
前記第１のセルからの前記第１のセルについての前記ＭＣＣＨ変更通知を送ることをさらに備える、
請求項１に記載の方法。
【請求項７】
前記第１のセルについての前記ＭＣＣＨ変更通知は、前記第１のセルと前記第２のセルから同時に送られる、
請求項６に記載の方法。
【請求項８】
少なくとも１つのＵＥの各々からマルチメディアブロードキャストマルチキャストサービス（ＭＢＭＳ）関心インジケーションメッセージを受信することと、ここにおいて、前記少なくとも１つのＵＥの各々からの前記ＭＢＭＳ関心インジケーションメッセージのうちの少なくとも１つは、前記第１の周波数を含む少なくとも１つの関心のある周波数を指定する、
前記指定された少なくとも１つの関心のある周波数に基づいて、前記第１のセルについての前記ＭＣＣＨ変更通知を送ることを決定することと
をさらに備える、請求項１に記載の方法。
【請求項９】
前記少なくとも１つの関心のある周波数が前記周波数を含まないとき周波数についての第２のＭＣＣＨ変更通知を送らないようにすることを決定することをさらに備える、
請求項８に記載の方法。
【請求項１０】
ＵＥが前記第２のセルから通信を受信することができると決定することと、
ＵＥが前記第２のセルから通信を受信することができるとの前記決定に基づいて前記第２のセルから前記ＭＣＣＨ変更通知を送ることを決定することと
をさらに備える、請求項８に記載の方法。
【請求項１１】
前記ｅＮＢによって送信された各周波数上で前記ＭＣＣＨ変更通知を送ることをさらに備える、
請求項１に記載の方法。
【請求項１２】
プライマリセルからのプライマリキャリアと、１つまたは複数の対応するセカンダリセルからの１つまたは複数のセカンダリキャリアとを備える、アグリゲートされたキャリアを有する構成を受信することと、
第２のセルの第２の周波数上で第１のセルの第１の周波数についてのキャリア周波数インデックスを有するマルチキャスト制御チャネル（ＭＣＣＨ）変更通知を受信することと
を備え、前記第１のセルと前記第２のセル各々は、前記プライマリセルおよび前記セカンダリセルのうちの１つであり、前記ＭＣＣＨ変更通知は、ＭＣＣＨ変更を示すために、ＭＢＳＦＮエリア情報を含み、前記ＭＣＣＨ変更通知は、前記ＭＣＣＨ変更を示すために、ＭＢＳＦＮエリアごとに１ビットを含む、
ユーザ機器（ＵＥ）のワイヤレス通信の方法。
【請求項１３】
マルチメディアブロードキャストマルチキャストサービス（ＭＢＭＳ）関心インジケーションメッセージを送信することをさらに備え、前記ＭＢＭＳ関心インジケーションメッセージは、前記第１の周波数を含む少なくとも１つの関心のある周波数を指定し、前記第１のセルについての前記ＭＣＣＨ変更通知は、前記ＭＢＭＳ関心インジケーションメッセージに応答して受信される、
請求項１２に記載の方法。
【請求項１４】
マルチキャスト制御チャネル（ＭＣＣＨ）変更通知を構築するための手段と、
第２のセルの第２の周波数上で第１のセルの第１の周波数についてのキャリア周波数インデックスを有する前記ＭＣＣＨ変更通知を送るための手段と
を備え、前記ＭＣＣＨ変更通知は、ＭＣＣＨ変更を示すために、ＭＢＳＦＮエリア情報を含み、前記ＭＣＣＨ変更通知は、前記ＭＣＣＨ変更を示すために、ＭＢＳＦＮエリアごとに１ビットを含む、ワイヤレス通信のための発展型ノードＢ（ｅＮＢ）。
【請求項１５】
プライマリセルからのプライマリキャリアと、１つまたは複数の対応するセカンダリセルからの１つまたは複数のセカンダリキャリアとを備える、アグリゲートされたキャリアを有する構成を受信するための手段と、
第２のセルの第２の周波数上で第１のセルの第１の周波数についてのキャリア周波数インデックスを有するマルチキャスト制御チャネル（ＭＣＣＨ）変更通知を受信するための手段と
を備え、前記第１のセルと前記第２のセル各々は、前記プライマリセルおよび前記セカンダリセルのうちの１つであり、前記ＭＣＣＨ変更通知は、ＭＣＣＨ変更を示すために、ＭＢＳＦＮエリア情報を含み、前記ＭＣＣＨ変更通知は、前記ＭＣＣＨ変更を示すために、ＭＢＳＦＮエリアごとに１ビットを含む、
ワイヤレス通信のためのユーザ機器（ＵＥ）。
【請求項１６】
請求項１−１１、または１２、または１３のうちのいずれか一項の方法を実行するためのコンピュータが実行可能なコードを備える、
ワイヤレス通信のためのコンピュータプログラム。
【発明の詳細な説明】
【関連出願】
【０００１】
関連出願の相互参照
[0001]本出願は、その全体が参照により本明細書に明確に組み込まれる、２０１３年３月８日に出願された「ＰＲＩＭＡＲＹ  ＣＥＬＬ  ＳＩＧＮＡＬＩＮＧ  ＦＯＲ  ＥＭＢＭＳ  ＩＮ  ＣＡＲＲＩＥＲ  ＡＧＧＲＥＧＡＴＩＯＮ」と題する米国特許出願第１３／７９０，８２０号、および２０１２年１０月２６日に出願された「ＰＲＩＭＡＲＹ  ＣＥＬＬ  ＳＩＧＮＡＬＩＮＧ  ＦＯＲ  ＥＭＢＭＳ  ＩＮ  ＣＡＲＲＩＥＲ  ＡＧＧＲＥＧＡＴＩＯＮ」と題する米国仮出願第６１／７１９，３００号の利益を主張する。
【技術分野】
【０００２】
[0002]本開示は、一般に、通信システムに関し、より詳細には、キャリアアグリゲーションにおける発展型マルチメディアブロードキャストマルチキャストサービス（ｅＭＢＭＳ）のためのプライマリセルのシグナリングに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ）である。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、かつ、ダウンリンク（ＤＬ）上ではＯＦＤＭＡを、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示のある態様では、方法、コンピュータプログラム製品、および装置が提供される。装置は発展型ノードＢであり得る。発展型ノードＢは、プライマリセルからのプライマリキャリアと、１つまたは複数のセカンダリセルからの１つまたは複数のセカンダリキャリアとを含む、アグリゲートされたキャリアでユーザ機器を構成する。加えて、発展型ノードＢは、構成とともに、プライマリセルからの１つまたは複数のセカンダリセルのうちの少なくとも１つのセカンダリセルについてのシステム情報ブロック１３の情報を送る。
【０００６】
[0006]本開示の一態様では、方法、コンピュータプログラム製品、および装置が提供される。装置はユーザ機器であり得る。ユーザ機器は、プライマリセルからのプライマリキャリアと、１つまたは複数のセカンダリセルからの１つまたは複数のセカンダリキャリアとを含む、アグリゲートされたキャリアを有する構成を受信する。加えて、ユーザ機器は、構成とともに、プライマリセルからの１つまたは複数のセカンダリセルのうちの少なくとも１つのセカンダリセルについてのシステム情報ブロック１３の情報を受信する。
【図面の簡単な説明】
【０００７】
【図１】[0007]ネットワークアーキテクチャの一例を示す図。
【図２】[0008]アクセスネットワークの一例を示す図。
【図３】[0009]ＬＴＥにおけるＤＬフレーム構造の一例を示す図。
【図４】[0010]ＬＴＥにおけるＵＬフレーム構造の一例を示す図。
【図５】[0011]ユーザプレーンおよび制御プレーンのための無線プロトコルアーキテクチャの一例を示す図。
【図６】[0012]アクセスネットワーク中の発展型ノードＢおよびユーザ機器の一例を示す図。
【図７Ａ】[0013]マルチキャストブロードキャスト単一周波数ネットワーク内の発展型マルチメディアブロードキャストマルチキャストサービスチャネル構成の一例を示す図。
【図７Ｂ】[0014]マルチキャストチャネルスケジューリング情報メディアアクセス制御の制御要素のフォーマットを示す図。
【図８Ａ】[0015]連続キャリアアグリゲーションタイプを開示する図。
【図８Ｂ】[0016]非連続キャリアアグリゲーションタイプを開示する図。
【図８Ｃ】[0017]メディアアクセス制御レイヤのデータアグリゲーションを開示する図。
【図９】[0018]第１の例示的な方法を示すための図。
【図１０】[0019]第２の例示的な方法を示すための図。
【図１１】[0020]第２の例示的な方法をさらに示すための第１の図。
【図１２】[0021]第２の例示的な方法をさらに示すための第２の図。
【図１３】[0022]第３の例示的な方法を示すための図。
【図１４】[0023]第３の例示的な方法の第１の構成を示す図。
【図１５】[0024]第３の例示的な方法の第２の構成を示す図。
【図１６】[0025]第３の例示的な方法の第３の構成を示す図。
【図１７】[0026]第３の例示的な方法の第４の構成を示す図。
【図１８】[0027]第３の例示的な方法の第５の構成を示す図。
【図１９】[0028]第３の例示的な方法の第６の構成を示す図。
【図２０】[0029]第３の例示的な方法の第７の構成を示す図。
【図２１】[0030]第３の例示的な方法の第８の構成を示す図。
【図２２】[0031]第３の例示的な方法の第９の構成を示す図。
【図２３】[0032]第３の例示的な方法の第１０の構成を示す図。
【図２４】[0033]第３の例示的な方法の第１１の構成を示す図。
【図２５】[0034]第３の例示的な方法の第１２の構成を示す図。
【図２６】[0035]ワイヤレス通信の第１の方法のフローチャート。
【図２７】[0036]ワイヤレス通信の第２の方法のフローチャート。
【図２８】[0037]ワイヤレス通信の第３の方法のフローチャート。
【図２９】[0038]ワイヤレス通信の第４の方法のフローチャート。
【図３０】[0039]ワイヤレス通信の第５の方法のフローチャート。
【図３１】[0040]ワイヤレス通信の第６の方法のフローチャート。
【図３２】[0041]ワイヤレス通信の第７の方法のフローチャート。
【図３３】[0042]ワイヤレス通信の第８の方法のフローチャート。
【図３４】[0043]ワイヤレス通信の第９の方法のフローチャート。
【図３５】[0044]ワイヤレス通信の第１０の方法のフローチャート。
【図３６】[0045]ワイヤレス通信の第１１の方法のフローチャート。
【図３７】[0046]例示的な装置中の異なるモジュール／手段／構成要素間のデータフローを示す概念データフロー図。
【図３８】[0047]処理システムを用いる装置のためのハードウェア実装形態の一例を示す図。
【図３９】[0048]例示的な装置中の異なるモジュール／手段／構成要素間のデータフローを示す概念データフロー図。
【図４０】[0049]処理システムを用いる装置のためのハードウェア実装形態の一例を示す図。
【図４１】[0050]例示的な装置中の異なるモジュール／手段／構成要素間のデータフローを示す概念データフロー図。
【図４２】[0051]処理システムを用いる装置のためのハードウェア実装形態の一例を示す図。
【図４３】[0052]例示的な装置中の異なるモジュール／手段／構成要素間のデータフローを示す概念データフロー図。
【図４４】[0053]処理システムを用いる装置のためのハードウェア実装形態の一例を示す図。
【図４５】[0054]例示的な装置中の異なるモジュール／手段／構成要素間のデータフローを示す概念データフロー図。
【図４６】[0055]処理システムを用いる装置のためのハードウェア実装形態の一例を示す図。
【発明を実施するための形態】
【０００８】
[0056]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0057]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、またはソフトウェアとして実装するかは、特定の適用例および全体的なシステムに課された設計制約に依存する。
【００１０】
[0058]例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明する様々な機能を実施するように構成された他の好適なハードウェアがある。処理システム中の１つまたは複数のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0059]したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、またはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気記憶デバイス、または命令またはデータ構造の形態の所望のプログラムコードを搬送または記憶するために使用でき、コンピュータによってアクセスできる任意の他の媒体を備えることができる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザで光学的に再生する。上記の組合せもコンピュータ可読媒体の範囲内に含めるべきである。
【００１２】
[0060]図１は、ＬＴＥネットワークアーキテクチャ１００を示す図である。ＬＴＥネットワークアーキテクチャ１００は、発展型パケットシステム（ＥＰＳ）１００と呼ばれ得る。ＥＰＳ１００は、１つまたは複数のユーザ機器（ＵＥ）１０２と、発展型ＵＭＴＳ地上波無線アクセスネットワーク（Ｅ−ＵＴＲＡＮ）１０４と、発展型パケットコア（ＥＰＣ）１１０と、ホーム加入者サーバ（ＨＳＳ）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１３】
[0061]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、ノードＢ、アクセスポイント、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0062]ｅＮＢ１０６はＥＰＣ１１０に接続される。ＥＰＣ１１０は、モビリティ管理エンティティ（ＭＭＥ）１１２と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ）１２６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２は、ベアラおよび接続管理を行う。すべてのユーザＩＰパケットは、サービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ）と、ＰＳストリーミングサービス（ＰＳＳ）とを含み得る。ＢＭ−ＳＣ１２６は、ＭＢＭＳユーザサービスのプロビジョニングおよび配信のための機能を実現することができる。ＢＭ−ＳＣ１２６は、コンテンツプロバイダのＭＢＭＳ送信のための入口点として働くことができ、ＰＬＭＮ内のＭＢＭＳベアラサービスを認可および開始するために使用され得るし、ＭＢＭＳ送信をスケジュールおよび配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを分散するために使用され得るし、セッション管理（開始／停止）と、ｅＭＢＭＳ関係の課金情報を収集することとに関与することができる。
【００１５】
[0063]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモート無線ヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは、１つまたは複数（たとえば、３つ）の（セクタとも呼ばれる）セルをサポートすることができる。「セル」という用語は、ｅＮＢの最小カバレージエリアを指すことができ、かつ／またはｅＮＢサブシステムのサービングは特定のカバレージエリアである。さらに、「ｅＮＢ」、「基地局」、および「セル」という用語は、本明細書では互換的に使用され得る。
【００１６】
[0064]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））、およびＴＤ−ＳＣＤＭＡ、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）、およびＥｖｏｌｖｅｄ  ＵＴＲＡ（Ｅ−ＵＴＲＡ）など、ＣＤＭＡの他の変形体を採用するＵｎｉｖｅｒｓａｌ  Ｔｅｒｒｅｓｔｒｉａｌ  Ｒａｄｉｏ  Ａｃｃｅｓｓ（ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＯＦＤＭＡを採用するＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰという組織からの文書に記載されている。ＣＤＭＡ２０００およびＵＭＢは、３ＧＰＰ２という組織からの文書に記載されている。採用される実際のワイヤレス通信規格および多元接続技術は、特定の適用例およびシステムに課せられる全体的な設計制約に依存することになる。
【００１７】
[0065]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１８】
[0066]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0067]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは、正確な周波数で離間する。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２０】
[0068]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、および変調方式が高いほど、ＵＥのデータレートは高くなる。
【００２１】
[0069]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され、かつ構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２２】
[0070]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical uplink control channel）中で制御情報を送信し得る。ＵＥは、データセクション中の割り当てられたリソースブロック上の物理ＵＬ共有チャネル（ＰＵＳＣＨ：physical uplink shared channel）中でデータのみまたはデータと制御情報の両方を送信し得る。ＵＬ送信は、サブフレームの両方のスロットにわたり、かつ周波数上でホッピングし得る。
【００２３】
[0071]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２４】
[0072]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0073]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、Ｌ２レイヤ５０８の上に、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むいくつかの上位レイヤを有し得る。
【００２６】
[0074]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２７】
[0075]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２８】
[0076]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２９】
[0077]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【００３０】
[0078]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いでコントローラ／プロセッサ６５９に与えられる。
【００３１】
[0079]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間での多重分離と、パケット再統合と、復号と、ヘッダ復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３２】
[0080]ＵＬでは、データソース６６７は、コントローラ／プロセッサ６５９に上位レイヤパケットを与えるために使用される。データソース６６７は、Ｌ２レイヤの上のすべてプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３３】
[0081]ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３４】
[0082]ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０は、Ｌ１レイヤを実装し得る。
【００３５】
[0083]コントローラ／プロセッサ６７５は、Ｌ２レイヤを実装する。コントローラ／プロセッサ６７５は、プログラムコードとデータとを記憶するメモリ６７６に関連し得る。メモリ６７６は、コンピュータ可読媒体と呼ばれることがある。ＵＬでは、制御／プロセッサ６７５は、ＵＥ６５０からの上位レイヤパケットを復元するために、トランスポートチャネルと論理チャネルとの間での多重分離と、パケット再統合と、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３６】
[0084]図７Ａは、ＭＢＳＦＮ中の発展型ＭＢＭＳ（ｅＭＢＭＳ）チャネル構成の一例を示す図７５０である。セル７５２’中のｅＮＢ７５２は、第１のＭＢＳＦＮエリアを形成し、セル７５４’中のｅＮＢ７５４は、第２のＭＢＳＦＮエリアを形成し得る。ｅＮＢ７５２、７５４は各々、他のＭＢＳＦＮエリア、たとえば、最高合計８つのＭＢＳＦＮエリアに関連し得る。ＭＢＳＦＮエリア内のセルが予約済みセルに指定され得る。予約済みセルは、マルチキャスト／ブロードキャストコンテンツを与えないが、セル７５２’、７５４’に時間同期させられ、ＭＢＳＦＮエリアへの干渉を制限するために、ＭＢＳＦＮリソース上で電力を制限する。ＭＢＳＦＮエリア中の各ｅＮＢは、同じｅＭＢＭＳ制御情報およびデータを同期的に送信する。各エリアは、ブロードキャストサービス、マルチキャストサービス、およびユニキャストサービスをサポートし得る。ユニキャストサービスは、特定のユーザを対象とするサービス、たとえば、音声通話である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。図７Ａを参照すると、第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、複数の物理マルチキャストチャネル（ＰＭＣＨ：physical multicast channel）（たとえば、１５個のＰＭＣＨ）をサポートする。各ＰＭＣＨはマルチキャストチャネル（ＭＣＨ：multicast channel）に対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨと複数のマルチキャストトラフィックチャネル（ＭＴＣＨ：multicast traffic channel）とを多重化し、残りのＭＣＨは複数のＭＴＣＨを多重化し得る。
【００３７】
[0085]ＵＥは、ＬＴＥセルに留まり、ｅＭＢＭＳサービスアクセスおよび対応するアクセス層構成の利用可能性を発見することができる。第１のステップで、ＵＥは、システム情報ブロック（ＳＩＢ）１３（ＳＩＢ１３）を取得することができる。第２のステップで、ＳＩＢ１３に基づいて、ＵＥは、ＭＣＣＨ上でＭＢＳＦＮエリア構成メッセージを取得することができる。第３のステップで、ＭＢＳＦＮエリア構成メッセージに基づいて、ＵＥは、ＭＣＨスケジューリング情報（ＭＳＩ）のＭＡＣ制御要素を取得することができる。ＳＩＢ１３は、（１）セルによってサポートされる各ＭＢＳＦＮエリアのＭＢＳＦＮエリア識別子と、（２）ＭＣＣＨ繰返し期間（たとえば、３２個、６４個、．．．、２５６個のフレーム）、ＭＣＣＨオフセット（たとえば、０、１個、．．．、１０個のフレーム）、ＭＣＣＨ変更期間（たとえば、５１２個、１０２４個のフレーム）、シグナリング変調およびコーディング方式（ＭＣＳ）、繰返し期間とオフセットとによって示される無線フレームのどのサブフレームがＭＣＣＨを送信することができるかを示すサブフレーム割振り情報などのＭＣＣＨを取得するための情報と、（３）ＭＣＣＨ変更通知構成とを示す。ＭＢＳＦＮエリアごとに１つのＭＢＳＦＮエリア構成メッセージが存在する。ＭＢＳＦＮエリア構成メッセージは、（１）ＰＭＣＨ内の論理チャネル識別子によって識別される各ＭＴＣＨの一時的モバイルグループ識別情報（ＴＭＧＩ）およびオプションのセッション識別子と、（２）ＭＢＳＦＮエリアの各ＰＭＣＨを送信するための割り振られたリソース（すなわち、無線フレームおよびサブフレーム）およびそのエリア内のすべてのＰＭＣＨのための割り振られたリソースの割振り期間（たとえば、４個、８個、．．．、２５６個のフレーム）と、（３）ＭＳＩのＭＡＣ制御要素が送信されるＭＣＨスケジューリング期間（ＭＳＰ）（たとえば、８個、１６個、３２個、．．．、または１０２４個の無線フレーム）とを示す。
【００３８】
[0086]図７Ｂは、ＭＳＩのＭＡＣ制御要素のフォーマットを示す図７９０である。ＭＳＩのＭＡＣ制御要素は、ＭＳＰごとに一度送られ得る。ＭＳＩのＭＡＣ制御要素は、ＰＭＣＨの各スケジューリング期間の最初のサブフレーム内で送られ得る。ＭＳＩのＭＡＣ制御要素は、ＰＭＣＨ内の各ＭＴＣＨの停止フレームおよびサブフレームを示すことができる。ＭＢＳＦＮエリアごとにＰＭＣＨ当たり１つのＭＳＩが存在し得る。
【００３９】
[0087]ＬＴＥアドバンストのＵＥは、各方向の送信に使用される合計１００ＭＨｚ（５つのコンポーネントキャリア）までのキャリアアグリゲーションにおいて割り振られた、２０ＭＨｚまでの帯域幅のスペクトルを使用する。概して、アップリンク上ではダウンリンクよりも少ないトラフィックが送信され、したがって、アップリンクのスペクトル割振りはダウンリンクの割振りよりも小さくなり得る。たとえば、アップリンクに２０ＭＨｚが割り当てられた場合、ダウンリンクは１００ＭＨｚが割り当てられ得る。これらの非対称のＦＤＤ割当ては、スペクトルを節約し、ブロードバンド加入者による通常非対称な帯域利用にぴったり合う。
【００４０】
[0088]ＬＴＥアドバンストのモバイルシステムの場合、２つのタイプのキャリアアグリゲーションの方法、すなわち、連続キャリアアグリゲーションおよび非連続キャリアアグリゲーションが提案されている。連続キャリアアグリゲーションは図８Ａに示され、非連続キャリアアグリゲーションは図８Ｂに示される。非連続キャリアアグリゲーションは、複数の利用可能なコンポーネントキャリアが周波数帯域に沿って分離されるときに行われる。連続キャリアアグリゲーションは、複数の利用可能なコンポーネントキャリアが互いに隣接するときに行われる。非連続キャリアアグリゲーションと連続キャリアアグリゲーションの両方では、ＬＴＥアドバンストのＵＥの単一ユニットをサービスするために、複数のＬＴＥ／コンポーネントキャリアがアグリゲートされる。
【００４１】
[0089]キャリアが周波数帯域に沿って分離されるので、複数のＲＦ受信ユニットおよび複数のＦＦＴは、ＬＴＥアドバンストのＵＥにおいて非連続キャリアアグリゲーションが配備され得る。非連続キャリアアグリゲーションは、大きい周波数範囲にわたる複数の分離されたキャリア上でのデータ送信をサポートするので、周波数帯域が異なると、伝搬経路損失、ドップラーシフト、および他の無線チャネル特性が大いに変わる可能性がある。非連続キャリアアグリゲーション手法の下でブロードバンドデータ送信をサポートするために、方法は、様々なコンポーネントキャリアにコーディング、変調、および送信電力を適応的に調整するために使用され得る。たとえば、ｅＮＢが各コンポーネントキャリア上の固定された送信電力を有しているＬＴＥアドバンストシステムでは、各コンポーネントキャリアの有効カバレージまたはサポート可能な変調およびコーディングは、異なり得る。
【００４２】
[0090]図８Ｃは、国際モバイル電気通信（ＩＭＴ）アドバンストシステムのためのＭＡＣレイヤで、様々なコンポーネントキャリアからの送信ブロックをアグリゲートすることを示す。ＭＡＣレイヤのデータアグリゲーションでは、各コンポーネントキャリアは、ＭＡＣレイヤ内のそれ自体の独立したＨＡＲＱエンティティと、物理レイヤ内のそれ自体の送信構成パラメータ（たとえば、送信電力、変調、およびコーディング方式、ならびに複数のアンテナ構成）とを有する。同様に、物理レイヤでは、コンポーネントキャリアごとに１つのＨＡＲＱエンティティが与えられる。一般に、複数のコンポーネントキャリアのための制御チャネルシグナリングを展開するための３つの異なる手法がある。１番目は、ＬＴＥシステムにおける制御構造の軽微な変更を伴い、各コンポーネントキャリアは、それ自体のコーディングされた制御チャネルを与えられる。２番目の方法は、異なるコンポーネントキャリアの制御チャネルを一緒にコーディングし、専用のコンポーネントキャリア内に制御チャネルを展開することを伴う。複数のコンポーネントキャリアについての制御情報は、この専用制御チャネル内でシグナリングコンテンツとして統合されることになる。その結果、ＬＴＥシステム内の制御チャネル構造との後方互換性が維持され、キャリアアグリゲーションにおけるシグナリングオーバーヘッドが低減される。異なるコンポーネントキャリアのための複数の制御チャネルが一緒にコーディングされ、次いで、第３のキャリアアグリゲーション方法によって形成される周波数帯域全体にわたって送信される。この手法により、ＵＥ側での高い電力消費を犠牲にして、制御チャネル内の低いシグナリングオーバーヘッドおよび高い復号性能がもたらされる。しかしながら、この方法はＬＴＥシステムと互換性がない。
【００４３】
[0091]様々な実施形態によれば、（キャリアアグリゲーションとも呼ばれる）マルチキャリアシステム内で動作するＵＥは、プライマリキャリアまたはプライマリコンポーネントキャリアと呼ばれ得る同じキャリア上で、制御機能およびフィードバック機能などの複数のキャリアのいくつかの機能をアグリゲートするように構成される。サポートのためにプライマリキャリアに依存する残りのキャリアは、関連するセカンダリキャリアまたはセカンダリコンポーネントキャリアと呼ばれる。プライマリキャリアはプライマリセルによって送信される。セカンダリキャリアはセカンダリセルによって送信される。ＵＥは、オプションの専用チャネル（ＤＣＨ）、スケジュールされない許可、ＰＵＣＣＨ、および／または物理ダウンリンク制御チャネル（ＰＤＣＣＨ）によって提供される制御機能などの制御機能をアグリゲートすることができる。シグナリングおよびペイロードは、ダウンリンク上でｅＮＢによってＵＥに、およびアップリンク上でＵＥによってｅＮＢに、両方で送信され得る。
【００４４】
[0092]いくつかの実施形態では、複数のプライマリキャリアが存在し得る。加えて、セカンダリキャリアは、ＵＥの基本動作に影響を及ぼさずに追加または削除され得る。キャリアアグリゲーションでは、プライマリキャリアと、１つまたは複数の関連するセカンダリキャリアとを形成するために、制御機能は、少なくとも２つのキャリアから１つのキャリア上にアグリゲートされ得る。通信リンクは、プライマリキャリアおよび各セカンダリキャリアのために確立され得る。その後、通信は、プライマリキャリアに基づいて制御され得る。
【００４５】
[0093]キャリアアグリゲーションでは、ＵＥは、サービングｅＮＢにＵＥの能力情報メッセージを送って、サポートされる帯域とキャリアアグリゲーションの帯域幅クラスとを示す。ＵＥの能力に応じて、サービングｅＮＢは、ＲＲＣ接続再構成プロセスを使用してＵＥを構成することができる。ＲＲＣ接続再構成プロセスにより、サービングｅＮＢがセカンダリキャリア上で送信するサービングｅＮＢのセカンダリセル（現在４つまでのセカンダリセル）を追加および削除し、プライマリキャリア上で送信するサービングｅＮＢのプライマリセルを修正することが可能になる。ハンドオーバでは、サービングｅＮＢは、ＲＲＣ接続再構成プロセスを使用して、対象のプライマリセルでセカンダリセルを追加および削除することができる。サービングｅＮＢは、アクティブ化／非アクティブ化のＭＡＣ制御要素を使用して、セカンダリセルのデータ送信をアクティブ化または非アクティブ化することができる。現在、ＵＥは、プライマリセルからのマスタ情報ブロック（ＭＩＢ）とＳＩＢとをモニタする。プライマリセルは、セカンダリセルのＭＩＢといくつかのＳＩＢとをＵＥに送ることに関与する。プライマリセルは、無線リソース構成共通セカンダリセル（RadioResourceConfigCommonSCell）情報要素と、無線リソース専用セカンダリセル（RadioResourceDedicatedSCell）情報要素とを介して、セカンダリセルのＭＩＢといくつかのＳＩＢとをＵＥに送る。プライマリセルは、現在、アグリゲートされたセカンダリキャリアについてのＳＩＢ１３などのｅＭＢＭＳ関連情報をシグナリングしない。したがって、アグリゲートされたセカンダリキャリアについてのＳＩＢ１３をプライマリキャリアから搬送するための方法が必要とされる。さらに、キャリアアグリゲーション対応のＵＥが、マルチバンドｅＭＢＭＳの動作および／または第２の受信チェーンを使用する他の動作を強化することを可能にするための方法が必要とされる。キャリアアグリゲーション対応のＵＥの場合、ＵＥは、２つの送信機チェーンを装備することができる。２つの受信チェーンを利用する装置および方法が提案される。２つの受信チェーンを利用すると、所望のｅＭＢＭＳサービスの取得がスピードアップされるか、または既存のｅＭＢＭＳ／ユニキャストサービスの中断が最小化され得る。
【００４６】
[0094]図９は、例示的な実施形態の第１のセットを示す図９００である。図９に示されたように、サービングｅＮＢ９０４は、（RRCConnectionReconfigurationメッセージとも呼ばれる）ＲＲＣ接続再構成メッセージをＵＥ９０２に送って、プライマリセルからのプライマリキャリア９０６と、１つまたは複数のセカンダリセルからの１つまたは複数のセカンダリキャリア９０８とを含む、アグリゲートされたキャリアでＵＥを構成することができる。加えて、サービングｅＮＢ９０４は、ＲＲＣ接続再構成メッセージとともに、１つまたは複数のセカンダリキャリア９０８のうちの少なくとも１つのセカンダリキャリアについてのプライマリセルからのＳＩＢ１３情報を送ることができる。サービングｅＮＢ９０４の１つまたは複数のセカンダリセルのうちの少なくとも１つのセカンダリセルは、少なくとも１つのセカンダリキャリア上で送信する。
【００４７】
[0095]ＵＥ９０２がＲＲＣ接続モードに入っている間、ＲＲＣ接続再構成メッセージはＰＤＳＣＨ上で送られる。ＳＩＢ１３情報は、ＲＲＣ接続再構成メッセージ内の（RadioResourceConfigCommonSCell情報要素とも呼ばれる）ＲＲＣ構成共通セカンダリセル情報要素内で送られ得る。ＳＩＢ１３情報は、ＭＢＳＦＮエリア情報リストと、ｅＭＢＭＳ通知構成（たとえば、ＭＣＣＨ変更通知構成）とを含む、ＭＢＳＦＮエリア構成情報を含み得る。ＭＢＳＦＮエリア情報リストは、１つまたは複数のＭＢＳＦＮエリアに関連付けられたｅＭＢＭＳ制御情報を取得するための情報を含む。ｅＭＢＭＳ通知構成は、すべてのＭＢＳＦＮエリアに適用可能なｅＭＢＭＳ通知関連構成パラメータを含む。表現「ｒ１０」はＬＴＥリリース１０を表し、表現「ｒ９」はＬＴＥリリース９を表す。特定のＬＴＥリリースのための情報要素は、情報要素９５０に示された情報要素とは異なり得る。
【００４８】
[0096]したがって、ＵＥ９０２がアグリゲートされたキャリアで構成され、ＲＲＣ接続モードに入っている場合、ＵＥ９０２は、プライマリキャリア９０６上で１つまたは複数のセカンダリキャリア９０８のうちの少なくとも１つのセカンダリキャリアについてのＳＩＢ１３情報（たとえば、ＭＢＳＦＮエリア構成情報およびｅＭＢＭＳ通知構成）を受信することができる。たとえば、ＵＥ９０２がプライマリキャリアＣＣ1ならびに２つのセカンダリキャリアＣＣ2およびＣＣ3で構成されると仮定する。ＵＥ９０２は、プライマリキャリアＣＣ1上で、セカンダリキャリアＣＣ2またはセカンダリキャリアＣＣ3についてのＳＩＢ１３情報を受信することができる。ＵＥ９０２は、ＲＲＣ構成共通セカンダリセル情報要素内のプライマリキャリア上でＳＩＢ１３情報を受信し、ＲＲＣ構成共通セカンダリセル情報要素は、サービングｅＮＢ９０４のプライマリセルからプライマリキャリア上で受信されたＰＤＳＣＨ上のＲＲＣ接続再構成メッセージ内で受信され得る。
【００４９】
[0097]一構成では、ＬＴＥリリース１１およびそれ以後のリリースの場合、ＵＥ９０２は、ＵＥ９０２の１つまたは複数の関心のある周波数を指定する（MBMSInterestIndicationメッセージとも呼ばれる）ＭＢＭＳ関心インジケーションメッセージを送ることができる。１つまたは複数の関心のある周波数は、ＵＥ９０２の関心のあるＭＢＭＳサービスに関連付けられる。サービングｅＮＢ９０４は、ＭＢＭＳ関心インジケーションメッセージを受信し、ＵＥ９０２の関心のある周波数を特定する。次いで、ｅＮＢ９０４は、それらの特定された関心のある周波数についてのＳＩＢ１３情報を送ることができる。たとえば、ＵＥ９０２は、セカンダリキャリアＣＣ2に対応する第２の周波数ｆ2への関心を示すＭＢＭＳ関心インジケーションメッセージを送ることができる。次いで、サービングｅＮＢ９０４は、プライマリキャリアＣＣ1上でセカンダリキャリアＣＣ2についてのＳＩＢ１３情報を供給することができる。
【００５０】
[0098]図１０は、第２の例示的な方法を示すための図１０００である。図１０に示されたように、ＵＥ１００２は、サービングｅＮＢ１００４のプライマリセルからのプライマリキャリア１００６と、１つまたは複数の対応するセカンダリセルからの１つまたは複数のセカンダリキャリアとを含む、アグリゲートされたキャリアを有する構成を受信する。構成は、サービングｅＮＢ１００４からのＲＲＣ接続再構成メッセージ内で受信される。加えて、ＵＥ１００２は、第２のセルの第２の周波数１０１０上で、第１のセルの第１の周波数１００８についてのＭＣＣＨ変更通知を受信する。ＭＣＣＨ変更通知は、１つまたは複数のＭＢＳＦＮエリア内の新しいｅＭＢＭＳセッションなどのＭＣＣＨ変更を示すために、ＭＢＳＦＮエリアごとに１ビット（たとえば、８個のＭＢＳＦＮエリアのための８ビット）を含み得る。図１０に提供された例では、第１のセルの第１の周波数１００８についてのＭＣＣＨ変更通知は、ＭＣＣＨ情報が第１の周波数１００８について変化していることの通知を供給する。ＭＣＣＨ変更通知は、第２のセルの第２の周波数１０１０上で受信される。第１の構成では、第１のセルはプライマリセルであり、第２のセルはセカンダリセルである。そのような構成では、ＭＣＣＨ変更通知は、プライマリセルについてであり、セカンダリセルから受信される。第２の構成では、第１のセルはセカンダリセルであり、第２のセルはプライマリセルである。そのような構成では、ＭＣＣＨ変更通知は、セカンダリセルについてであり、プライマリセルから受信される。第３の構成では、第１のセルは第１のセカンダリセルであり、第２のセルは、第１のセカンダリセルとは異なる第２のセカンダリセルである。そのような構成では、ＭＣＣＨ変更通知は、第１のセカンダリセルについてであり、第１のセカンダリセルとは異なる第２のセカンダリセルから受信される。
【００５１】
[0099]ＵＥ１００２は、ＰＤＣＣＨ上のダウンリンク制御情報（ＤＣＩ）フォーマットの１Ｃメッセージ内でＭＣＣＨ変更通知を受信することができる。ＰＤＣＣＨのＤＣＩフォーマットの１Ｃメッセージは、ＵＥに関連付けられたＭＢＭＳ無線ネットワーク一時識別子（Ｍ−ＲＮＴＩ）に基づいてスクランブルされる。ＵＥはそのＭ−ＲＮＴＩを使用して、受信されたＰＤＣＣＨのＤＣＩフォーマットの１Ｃメッセージを復号する。ＰＤＣＣＨのＤＣＩフォーマットの１Ｃメッセージは、ＭＣＣＨ変更通知がどのキャリアに適用されるかを指定するキャリア周波数インデックス（ＣＦＩ）をさらに含み得る。ＵＥは、５つまでのキャリア（１つのプライマリキャリアおよび４つまでのセカンダリキャリア）で構成され得るので、ＣＦＩは、ＭＣＣＨ変更通知が５つのキャリアのうちのどれに適用されるかを識別するための３ビットであり得る。たとえば、プライマリキャリアはＣＦＩ＝０を有し、第１のセカンダリキャリアはＣＦＩ＝１を有し、第２のセカンダリキャリアはＣＦＩ＝２を有し得る。第２のセカンダリキャリアについてのＭＣＣＨ変更通知を含むＰＤＣＣＨのＤＣＩフォーマットの１Ｃメッセージは、受信されたＭＣＣＨ変更通知が第２のセカンダリキャリアに適用されることをＵＥ１００２に示すために、ＣＦＩ＝２を有するプライマリキャリア上のプライマリセルから送られ得る。サービングｅＮＢ１００４は、アグリゲートされたキャリアの各々で、またはアグリゲートされたキャリアのサブセットで、同じＭＣＣＨ変更通知を送ることができる。たとえば、サービングｅＮＢ１００４は、第２のセカンダリキャリアに関連付けられたセカンダリセルからの第２のセカンダリキャリアについてのＭＣＣＨ変更通知を送ることもできる。両方のＭＣＣＨ変更通知メッセージは、プライマリキャリア上および第２のセカンダリキャリア上で同時に受信され得る。
【００５２】
[00100]ＬＴＥリリース１１およびそれ以後のリリースの場合、ＵＥ１００２は、関心のある周波数を指定するＭＢＭＳ関心インジケーションメッセージを生成し、送ることができる。サービングｅＮＢ１００４は、ＵＥ１００２を含む複数のＵＥからＭＢＭＳ関心インジケーションメッセージを受信することができる。指定された関心のある周波数のうちの１つが第１のセルの第１の周波数である場合、サービングｅＮＢ１００４は、第１の周波数についてのＭＣＣＨ変更通知をサービングｅＮＢ１００４によってサービスされるＵＥの各々に送ることを決定することができる。したがって、ＵＥ１００２が第１の周波数を関心のある周波数として指定しなかった場合でも、ＵＥ１００２は、第１の周波数についてのＭＣＣＨ変更通知を受信することができる。サービングｅＮＢ１００４は、受信されたＭＢＭＳ関心インジケーションメッセージ内の関心のある周波数として指定されていない周波数について、ＭＣＣＨ変更通知メッセージを送らないようにすることができる。したがって、サービングｅＮＢ１００４は、受信されたＭＢＭＳ関心インジケーションメッセージ内で指定された関心のある周波数についてのみ、ＭＣＣＨ変更通知メッセージを送ることができる。サービングｅＮＢ１００４は、サービングｅＮＢ１００４によってサービスされるＵＥがそれを介してＭＣＣＨ変更通知メッセージを受信することができるセルから、ＭＣＣＨ変更通知メッセージを送ることができる。たとえば、ＵＥが第１のセカンダリキャリア上の通信を受信することはできないが、プライマリキャリアおよび第２のセカンダリキャリア上の通信を受信することができる場合、サービングｅＮＢ１００４は、プライマリキャリアおよび第２のセカンダリキャリアのみからＭＣＣＨ変更通知メッセージを送ることができる。サービングｅＮＢ１００４は、通信がキャリア上のＵＥから受信されているかどうかに基づいて、どのキャリア上でＵＥがメッセージを受信できるかを決定することができる。別の構成では、サービングｅＮＢ１００４は、どのセル上でＭＣＣＨ変更通知メッセージを送信するかを選択せず、サービングｅＮＢ１００４によって送信された各周波数上でＭＣＣＨ変更通知メッセージを送る。
【００５３】
[00101]図１１は、第２の例示的な実施形態をさらに示すための第１の図１１００である。図１１に示されたように、ＲＲＣ接続モードにあるＵＥは、プライマリセルから第１の周波数ｆ1上でＰＤＳＣＨを受信することができる。加えて、ＵＥは、第１の周波数ｆ1上で、セカンダリセルの第２の周波数ｆ2についてのＭＣＣＨ変更の通知を含む、ＰＤＣＣＨのＤＣＩフォーマットの１Ｃメッセージを受信することができる。第１の周波数ｆ1は０のＣＦＩに関連付けられ、第２の周波数ｆ2は１のＣＦＩに関連付けられ得る。ＭＣＣＨ変更の通知がどの周波数に適用されるかをＵＥに示すために、ＰＤＣＣＨのＤＣＩフォーマットの１Ｃメッセージは、ＭＣＣＨ変更の通知が第２の周波数ｆ2に適用されることを示す１にセットされたＣＦＩを含み得る。受信されたＭＣＣＨ変更の通知に基づいて、ＵＥは、新しいセッションが第２の周波数ｆ2上のセカンダリセルに追加されていることを決定することができ、その後、それぞれのＭＴＣＨ上で新しいセッションを受信することができる。図１１は、上記に記載されたように、プライマリセルから受信されているセカンダリセルについてのＭＣＣＨ変更の通知を示すが、ＭＣＣＨ変更の通知は、プライマリセルについてであり、セカンダリセルから受信され得るか、または第１のセカンダリセルについてであり、第１のセカンダリセルとは異なる第２のセカンダリセルから受信され得る。
【００５４】
[00102]図１２は、第２の例示的な方法をさらに示すための第２の図１２００である。図１２に示されたように、ＲＲＣ接続モードにあるＵＥは、プライマリセルから第１の周波数ｆ1上でＰＤＳＣＨを受信することができる。加えて、ＵＥは、第１の周波数ｆ1上で、セカンダリセルの第２の周波数ｆ2についてのＭＣＣＨ変更の通知を含む、ＰＤＣＣＨのＤＣＩフォーマットの１Ｃメッセージを受信することができる。ＵＥは、第２の周波数ｆ2上で、第２の周波数ｆ2についてのＭＣＣＨ変更の同じ通知を受信することもできる。ＭＣＣＨ変更の通知は、第１の周波数ｆ1上と第２の周波数ｆ2上の両方で同時に受信され得る。ＭＣＣＨ変更の通知メッセージは、各々１のＣＦＩを指定して、ＭＣＣＨ変更の通知が第２の周波数ｆ2についてであることを示すことができる。受信されたＭＣＣＨ変更の通知に基づいて、ＵＥは、新しいセッションが第２の周波数ｆ2上のセカンダリセルに追加されていることを決定することができ、その後、第２の周波数ｆ2上で送信されたそれぞれのＭＴＣＨ上で新しいセッションを受信することができる。
【００５５】
[00103]図１３は、第３の例示的な方法を示すための図１３００である。図１３に示されたように、ＵＥ１３０２は、第１の受信チェーンＲＸ1を介して、サービングｅＮＢ１３０４の第１のセルからの周波数ｆ1上でユニキャスト通信および／またはブロードキャスト／マルチキャスト通信を受信する。サービングｅＮＢ１３０４から特定の命令を受信せずに、ＵＥ１３０２は、第２の受信チェーンＲＸ2を介して自律的に、サービングｅＮＢ１３０４の第２のセルからの第２の周波数ｆ2上でブロードキャスト／マルチキャスト信号通信、同期信号通信、または基準信号通信のうちの少なくとも１つを受信することを決定し、受信する。ＵＥ１３０２は、サービングｅＮＢ１３０４の第１のセルからの周波数ｆ1上でユニキャスト通信および／またはブロードキャスト／マルチキャスト通信と、サービングｅＮＢ１３０４の第２のセルからの第２の周波数ｆ2上でブロードキャスト／マルチキャスト信号通信、同期信号通信、または基準信号通信のうちの少なくとも１つとを、同時に受信することができる。ＵＥ１３０２は、２つの受信チェーンＲＸ1、ＲＸ2を有して示される。しかしながら、ＵＥ１３０２はさらなる受信チェーンを有し得る。たとえば、ＵＥ１３０２は、１つのプライマリキャリアと４つまでのセカンダリキャリアとを受信するための５つの受信チェーンを有し得る。第３の例示的な方法では、ＵＥ１３０２は、サービングｅＮＢ１３０４からいかなる命令も受信せずに、動作（たとえば、マルチバンドｅＭＢＭＳ動作）を強化するための第２の受信チェーンＲＸ2を自律的に使用する。
【００５６】
[00104]第１の構成では、ＵＥはキャリアアグリゲーションで構成されておらず、したがって、ＵＥは、動作を強化するための第２の受信チェーンＲＸ2を自律的に使用することができる。第２の構成では、ＵＥはキャリアアグリゲーションで構成されているが、キャリアアグリゲーションのためには構成されていない受信チェーンを有し（たとえば、ＵＥはキャリアアグリゲーションのためには構成されていない受信チェーンを有し）、したがって、動作を強化するためのそのような受信チェーンを自律的に使用することができる。第３の構成（図２０および図２１参照）では、ＵＥはキャリアアグリゲーションで構成され、各受信チェーンはキャリアアグリゲーションのために構成される。各々の構成では、ＵＥは、複数の利用可能な受信チェーンを同時に利用することができる。
【００５７】
[00105]図１４は、第３の例示的な方法の第１の構成を示す図１４００である。図１４に示されたように、ＲＲＣ接続モードにあり、ｅＭＢＭＳサービスを受信していないＵＥは、第１の受信チェーンＲＸ1を介して第１の周波数ｆ1上でページング信号を受信することができる。ＵＥが、第２の周波数ｆ2上の利用可能なｅＭＢＭＳサービスを決定したい（たとえば、一時モバイルグループ識別子（ＴＭＧＩ）リストを入手したい）と欲し、第２の受信チェーンＲＸ2がキャリアアグリゲーションのために構成されていない場合、ＵＥは、自律的に第２の受信チェーンＲＸ2を使用して、第２の周波数ｆ2上でＳＩＢ１３情報（たとえば、ＳＩＢ１３）とＭＣＣＨとを受信することができる。ＳＩＢ１３情報に基づいて、ＵＥはＭＣＣＨを取得するための情報を入手する。一構成では、ＵＥは、周波数ｆ1、ｆ2に対応するアグリゲートされたキャリアでキャリアアグリゲーションのために以前構成されていながら、かつＲＲＣ接続モードにいながら（図９参照）、第１の周波数ｆ1上でＳＩＢ１３情報を入手することができる。そのような構成では、ＵＥは、受信されたＳＩＢ１３情報をキャッシュし、次いで、キャリアアグリゲーションのためには構成されていないが、ＲＲＣアイドルモードにいるとき、第２の受信チェーンＲＸ2を使用して、ＭＣＣＨを入手し、キャッシュされたＳＩＢ１３情報に基づいて利用可能なｅＭＢＭＳサービスを決定することができる。
【００５８】
[00106]図１５は、第３の例示的な方法の第２の構成を示す図１５００である。図１４に関して上記に記載されたように、第２の周波数ｆ2についてのＳＩＢ１３とＭＣＣＨとを入手した後、ＵＥは、受信されたＳＩＢ１３およびＭＣＣＨに基づいて、第２の受信チェーンＲＸ2を介して第２の周波数ｆ2上でｅＭＢＭＳサービスを受信することを決定することができる。その後、ＵＥは、第２のセルに対して周波数間セルの再選択を以前実行していないまま、第２の受信チェーンＲＸ2を介して第２の周波数ｆ2上でｅＭＢＭＳサービスを受信することができる。その後、ＵＥは、第２の周波数ｆ2を最も高い優先順位に設定し、第２のセルに対して周波数間セルの再選択を実行することができる。第２のセルに対して周波数間セルの再選択を実行すると、次いで、ＵＥは、第１の受信チェーンＲＸ1を介して第１のセルから第１の周波数ｆ1上ではなく、第２の受信チェーンＲＸ2を介して第２のセルから第２の周波数ｆ2上でページング信号を受信することができる。ＵＥは第１の受信チェーンＲＸ1を使用していないので、次いで、ＵＥは、第１の受信チェーンＲＸ1をオフにしてバッテリ電力を節約することができる。
【００５９】
[00107]図１６は、第３の例示的な方法の第３の構成を示す図１６００である。図１６に示されたように、ＲＲＣアイドルモードにあり、ｅＭＢＭＳサービスを受信しているＵＥは、第１の受信チェーンＲＸ1を介して第１の周波数ｆ1上でページング信号を受信することができる。ＵＥが、第２の周波数ｆ2上の利用可能なｅＭＢＭＳサービスを決定したい（たとえば、ＴＭＧＩリストを入手したい）と欲し、第２の受信チェーンＲＸ2がキャリアアグリゲーションのために構成されていない場合、ＵＥは、自律的に第２の受信チェーンＲＸ2を使用して、第２の周波数ｆ2上でＳＩＢ１３情報（たとえば、ＳＩＢ１３）とＭＣＣＨとを受信することができる。ＳＩＢ１３情報に基づいて、ＵＥはＭＣＣＨを取得するための情報を入手する。一構成では、ＵＥは、周波数ｆ1、ｆ2に対応するアグリゲートされたキャリアでキャリアアグリゲーションのために以前構成されていながら、かつＲＲＣ接続モードにいながら（図９参照）、第１の周波数ｆ1上でＳＩＢ１３情報を入手することができる。そのような構成では、ＵＥは、受信されたＳＩＢ１３情報をキャッシュし、次いで、キャリアアグリゲーションのためには構成されていないが、ＲＲＣアイドルモードにいるとき、第２の受信チェーンＲＸ2を使用して、ＭＣＣＨを入手し、キャッシュされたＳＩＢ１３情報を使用して利用可能なｅＭＢＭＳサービスを決定することができる。
【００６０】
[00108]図１７は、第３の例示的な方法の第４の構成を示す図１７００である。図１６に関して上記に記載されたように、第２の周波数ｆ2についてのＳＩＢ１３とＭＣＣＨとを入手した後、ＵＥは、受信されたＳＩＢ１３およびＭＣＣＨに基づいて、第２の受信チェーンＲＸ2を介して第２の周波数ｆ2上でｅＭＢＭＳサービスを受信することを決定することができる。その後、ＵＥは、第２の受信チェーンＲＸ2を介して第２の周波数ｆ2上でｅＭＢＭＳサービスを受信することができる。次いで、ＵＥは、第２の受信チェーンＲＸ2を介して第２の周波数ｆ2上で、ページング信号と、ＭＩＢと、ＳＩＢ１（ＳＩＢ１）と、ＳＩＢ１３とをモニタする。ＭＩＢはＳＩＢ１を取得するための情報を提供する。ＳＩＢ１は、ＵＥがＳＩＢ１３を入手するための方法を知るように、ＳＩＢ１３のスケジューリングに関する情報を提供する。
【００６１】
[00109]図１８は、第３の例示的な方法の第５の構成を示す図１８００である。図１８に示されたように、ＲＲＣ接続モードにあるＵＥは、第１の受信チェーンＲＸ1を介して第１の周波数ｆ1上でＰＤＳＣＨ内のユニキャスト信号を受信することができる。ＵＥが、第２の周波数ｆ2上の利用可能なｅＭＢＭＳサービスを決定したい（たとえば、ＴＭＧＩリストを入手したい）と欲し、第２の受信チェーンＲＸ2がキャリアアグリゲーションのために構成されていない場合、ＵＥは、自律的に第２の受信チェーンＲＸ2を使用して、第２の周波数ｆ2上でＳＩＢ１３情報（たとえば、ＳＩＢ１３）とＭＣＣＨとを受信することができる。ＳＩＢ１３情報に基づいて、ＵＥはＭＣＣＨを取得するための情報を入手する。一構成では、ＵＥは、周波数ｆ1、ｆ2に対応するアグリゲートされたキャリアでキャリアアグリゲーションのために以前構成されていながら、かつＲＲＣ接続モードにいながら（図９参照）、第１の周波数ｆ1上でＳＩＢ１３情報を入手することができる。そのような構成では、ＵＥは、受信されたＳＩＢ１３情報をキャッシュし、次いで、キャリアアグリゲーションのためには構成されていないが、ＲＲＣアイドルモードにいるとき、第２の受信チェーンＲＸ2を使用して、ＭＣＣＨを入手し、利用可能なｅＭＢＭＳサービスを決定することができる。
【００６２】
[00110]図１９は、第３の例示的な方法の第６の構成を示す図１９００である。図１８に関して上記に記載されたように、第２の周波数ｆ2についてのＳＩＢ１３とＭＣＣＨとを入手した後、ＵＥは、受信されたＳＩＢ１３およびＭＣＣＨに基づいて、第２の受信チェーンＲＸ2を介して第２の周波数ｆ2上でｅＭＢＭＳサービスを受信することを決定することができる。その後、ＵＥは、第２の受信チェーンＲＸ2を介して第２の周波数ｆ2上でｅＭＢＭＳサービスを受信することができる。次いで、ＵＥは、第２の受信チェーンＲＸ2を介して第２の周波数ｆ2上で、ページング信号と、ＭＩＢと、ＳＩＢ１と、ＳＩＢ１３とをモニタする。ＵＥは、中断なしに第２の周波数ｆ2上でｅＭＢＭＳサービスを受信し続けるために、第２の受信チェーンＲＸ2を介して第２の周波数ｆ2上で、ＭＩＢと、ＳＩＢ１と、ＳＩＢ１３とをモニタする。
【００６３】
[00111]ＬＴＥリリース１１およびそれ以後のリリースでは、ＵＥは、少なくとも１つの関心のある周波数を指定するＭＢＭＳ関心インジケーションメッセージをサービングｅＮＢに送ることができる。ＵＥが、関心のある周波数として、第１の周波数ｆ1ではなく、第２のセルに対応する第２の周波数ｆ2を指定した場合、サービングｅＮＢは、第２のセルに対して周波数間ハンドオーバを行うようにＵＥに命令するメッセージをＵＥに送ることができる。次いで、サービングｅＮＢは、ページングセルとして関心のあるｅＭＢＭＳサービスを搬送している第２のセルを再構成する。メッセージを受信すると、ＵＥは、第２のセルに対して周波数間ハンドオーバを実行することができる。
【００６４】
[00112]図２０は、第３の例示的な方法の第７の構成を示す図２０００である。図２０に示されたように、ＵＥはＲＲＣ接続モードにあり、ｆ1に対応するプライマリセルからのプライマリキャリアと、ｆ2に対応するセカンダリセルからのセカンダリキャリアとを含む、アグリゲートされたキャリアで構成される。ＵＥは、第１の受信チェーンＲＸ1を介して第１の周波数ｆ1上でＰＤＳＣＨ内のユニキャスト信号を受信している。ＵＥが、第２の周波数ｆ2上の利用可能なｅＭＢＭＳサービスを決定したい（たとえば、ＴＭＧＩリストを入手したい）と欲した場合、ＵＥは、第２の受信チェーンＲＸ2を介して第２の周波数ｆ2上で、ページング信号と、ＭＩＢと、ＳＩＢ１と、ＳＩＢ１３とをモニタする。ＵＥは、第２の受信チェーンＲＸ2を介して第２の周波数ｆ2上で、ＳＩＢ１３情報（たとえば、ＳＩＢ１３）とＭＣＣＨとを受信する。ＳＩＢ１３情報に基づいて、ＵＥはＭＣＣＨを取得するための情報を入手する。入手されたＭＣＣＨに基づいて、ＵＥは、ｅＭＢＭＳサービスを搬送するＭＴＣＨ上でｅＭＢＭＳサービスを受信することができる。一構成では、ＵＥは、図９に関して上記に記載されたように、第１の周波数ｆ1上でＳＩＢ１３情報を入手することができる。
【００６５】
[00113]ＵＥは、関心のある周波数を指定するＭＢＭＳ関心インジケーションメッセージをサービングｅＮＢに送ることができる。ＵＥが第３の周波数ｆ3を指定した場合、サービングｅＮＢは、第３の周波数ｆ3を供給するように、プライマリセルまたはセカンダリセルを構成することができる。
【００６６】
[00114]図２１は、第３の例示的な方法の第８の構成を示す図２１００である。図２１に示されたように、ＵＥはＲＲＣ接続モードにあり、ｆ1に対応するプライマリセルからのプライマリキャリアと、ｆ2に対応するセカンダリセルからのセカンダリキャリアとを含む、アグリゲートされたキャリアで構成される。ＵＥは、第１の受信チェーンＲＸ1を介して第１の周波数ｆ1上で送信されたＰＤＳＣＨ上のユニキャスト信号を受信している。ＵＥが、第２の周波数ｆ2上の利用可能なｅＭＢＭＳサービスを決定したい（たとえば、ＴＭＧＩリストを入手したい）と欲した場合、ＵＥは、第２の受信チェーンＲＸ2を介して第２の周波数ｆ2上で、ページング信号と、ＭＩＢと、ＳＩＢ１とをモニタする。ＵＥはまた、第１の受信チェーンＲＸ1を介して第１の周波数ｆ1上でＳＩＢ１３をモニタする。ＵＥは、図９に関して上記に記載されたように、ＲＲＣ接続再構成メッセージ内の無線リソース構成共通セカンダリセル情報要素内でＳＩＢ１３を受信することができる。ＳＩＢ１３情報に基づいて、ＵＥはＭＣＣＨを取得するための情報を入手する。入手されたＭＣＣＨに基づいて、ＵＥは、ｅＭＢＭＳサービスを搬送するＭＴＣＨ上でｅＭＢＭＳサービスを受信することができる。
【００６７】
[00115]図２２は、第３の例示的な方法の第９の構成を示す図２２００である。図２２に示されたように、ＲＲＣアイドルモードにあり、ｅＭＢＭＳサービスを受信しているＵＥは、第１の受信チェーンＲＸ1を介して第１の周波数ｆ1上でページング信号を受信することができる。第２の受信チェーンＲＸ2がキャリアアグリゲーションのために構成されず、第１の周波数ｆ1がそれを介して受信された訪問公的地域モバイルネットワーク（ＶＰＬＭＮ）に留まらされ、ＵＥがＶＰＬＭＮよりも高い優先順位を有する公的地域モバイルネットワーク（ＰＬＭＮ）を探索することを決定すると仮定する。ＵＥは、第２の受信チェーンＲＸ2を使用して、ＶＰＬＭＮよりも高い優先順位を有するＰＬＭＮを探索することを自律的に決定することができる。ＰＬＭＮを探索するとき、ＵＥは、第２の受信チェーンＲＸ2を介して周波数ｆx上でＭＩＢとＳＩＢ１とを受信することができる。
【００６８】
[00116]図２３は、第３の例示的な方法の第１０の構成を示す図２３００である。図２３に示されたように、ＲＲＣアイドルモードにあり、ｅＭＢＭＳサービスを受信しているＵＥは、第１の受信チェーンＲＸ1を介して第１の周波数ｆ1上でページング信号を受信することができる。第２の受信チェーンＲＸ2がキャリアアグリゲーションのために構成されず、ＵＥが周波数間測定または無線アクセスネットワーク間（ＲＡＴ間）測定を実行するように要求されたと仮定する。周波数間測定またはＲＡＴ間測定を実行することを決定すると、ＵＥは、第２の受信チェーンＲＸ2を使用して、周波数ｆx上でプライマリ同期信号（ＰＳＳ）と、セカンダリ同期信号（ＳＳＳ）と、ＣＲＳとを受信することを自律的に決定することができる。
【００６９】
[00117]図２４は、第３の例示的な方法の第１１の構成を示す図２４００である。第２の受信チェーンＲＸ2がキャリアアグリゲーションのために構成されず、ＵＥが周波数間測定またはＲＡＴ間測定を実行するように要求されたと仮定する。図２４に示されたように、ＲＲＣ接続モードにあり、ｅＭＢＭＳサービスを受信しているＵＥは、いかなる測定ギャップまたは接続された不連続受信（ＣＤＲＸ）も必要とせずに、第１の受信チェーンＲＸ1を介して第１の周波数ｆ1上でユニキャスト／ｅＭＢＭＳサービスを連続して受信することができる。周波数間測定またはＲＡＴ間測定を実行することを決定すると、ＵＥは、第２の受信チェーンＲＸ2を使用して、周波数ｆx上でＰＳＳと、ＳＳＳと、ＣＲＳとを受信することを自律的に決定することができる。
【００７０】
[00118]図２５は、第３の例示的な方法の第１２の構成を示す図２５００である。第２の受信チェーンＲＸ2がキャリアアグリゲーションのために構成されず、ＵＥが自動近隣関係（ＡＮＲ）測定を実行するようにｅＮＢによって要求されたと仮定する。図２４に示されたように、ＲＲＣ接続モードにあり、ｅＭＢＭＳサービスを受信しているＵＥは、いかなる測定ギャップまたはＣＤＲＸも必要とせずに、第１の受信チェーンＲＸ1を介して第１の周波数ｆ1上でユニキャスト／ｅＭＢＭＳサービスを連続して受信することができる。ＡＮＲ測定を実行することを決定すると、ＵＥは、第２の受信チェーンＲＸ2を介して周波数ｆx上でＡＮＲ測定を実行し、ｅＮＢに物理セル識別子（ＰＣＩ）を報告する。受信されたＰＣＩに基づいて、ｅＮＢは、セルグローバル識別情報（ＣＧＩ）を入手するようにＵＥに要求することができる。次いで、ＵＥは、ＣＧＩを入手するために、ＭＩＢとＳＩＢ１とを入手することができる。次いで、ＵＥは、ｅＮＢにＣＧＩを報告することができる。
【００７１】
[00119]図２６は、ワイヤレス通信の第１の方法のフローチャート２６００である。方法はｅＮＢによって実行され得る。図２６に示されたように、ステップ２６０２で、ｅＮＢは、プライマリセルからのプライマリキャリアと、１つまたは複数のセカンダリセルからの１つまたは複数のセカンダリキャリアとを含む、アグリゲートされたキャリアでＵＥを構成する。ステップ２６０８で、ｅＮＢは、構成とともに、プライマリセルからの１つまたは複数のセカンダリセルのうちの少なくとも１つのセカンダリセルについてのＳＩＢ１３情報を送る。たとえば、図９および図２１に関して記載されたように、ｅＮＢは、アグリゲートされたキャリアでＵＥを構成するＲＲＣ接続再構成メッセージを送ることができる。ＲＲＣ接続再構成は、プライマリセルからプライマリキャリア上で送られる。ＲＲＣ接続再構成メッセージは、セカンダリセルについてのＳＩＢ１３情報を含んでいる無線リソース構成共通セカンダリセル情報要素を含み得る。したがって、ＵＥは、プライマリセルからセカンダリセルについてのＳＩＢ１３情報を受信する。
【００７２】
[00120]ＳＩＢ１３情報はＰＤＳＣＨ上で送られ得る。ＳＩＢ１３情報は、構成とともに情報要素内でＵＥに送られ得る。情報要素は、無線リソース構成共通セカンダリセル情報要素であり得る。ＳＩＢ１３情報は、１つまたは複数のＭＢＳＦＮエリアに関連付けられたＭＢＭＳ制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成とを含み得る。ＳＩＢ１３情報は、ＲＲＣ接続再構成メッセージ内で送られ得る。ステップ２６０８の前に、ステップ２６０４で、ｅＮＢは、少なくとも１つのセカンダリセルに対応する少なくとも１つの関心のある周波数を指定する、ＭＢＭＳ関心インジケーションメッセージを受信することができる。ステップ２６０６で、ｅＮＢは、受信されたＭＢＭＳ関心インジケーションメッセージに基づいて、少なくとも１つのセカンダリセルの各々についてのＳＩＢ１３情報を含むように情報要素を構築することができる。ＳＩＢ１３情報は情報要素内で送られ得る。
【００７３】
[00121]図２７は、ワイヤレス通信の第２の方法のフローチャート２７００である。方法はｅＮＢによって実行され得る。図２７に示されたように、ステップ２７０８で、ｅＮＢはＭＣＣＨ変更通知を構築する。ステップ２７１２で、ｅＮＢは、第２のセルの第２の周波数上で、第１のセルの第１の周波数についてのＭＣＣＨ変更通知を送る。たとえば、図１１に関して記載されたように、ｅＮＢは、ＭＣＣＨ変更の通知を含むＰＤＣＣＨのＤＣＩフォーマットの１Ｃメッセージを作成する。ｅＮＢは、プライマリセルの周波数ｆ1上でセカンダリセルの周波数ｆ2についてＰＤＣＣＨのＤＣＩフォーマットの１Ｃメッセージを送ることができる。
【００７４】
[00122]ＭＣＣＨ変更通知は、ＰＤＣＣＨ上で送られ得る。ＭＣＣＨ変更通知は、ＤＣＩ内で送られ得る。ＤＣＩは、ＤＣＩフォーマットの１Ｃメッセージ内で送られ得る。ＤＣＩは、ＭＣＣＨ変通知が適用される第１のセルの周波数インデックスを識別するＣＦＩをさらに含み得る。ステップ２７１２で、ｅＮＢは、第１のセルから第１のセルについてのＭＣＣＨ変更通知を送ることもできる。図１２に関して記載されたように、第１のセルについてのＭＣＣＨ変更通知は、第１のセルおよび第２のセルから同時に送られ得る。
【００７５】
[00123]ステップ２７０２で、ｅＮＢは、少なくとも１つのＵＥの各々からＭＢＭＳ関心インジケーションメッセージを受信することができる。少なくとも１つのＵＥの各々からのＭＢＭＳ関心インジケーションメッセージのうちの少なくとも１つは、第１の周波数を含む少なくとも１つの関心のある周波数を指定する。ステップ２７０４で、ｅＮＢは、指定された少なくとも１つの関心のある周波数に基づいて、第１のセルについてのＭＣＣＨ変更通知を送ることを決定する。ステップ２７０６で、ｅＮＢは、少なくとも１つの関心のある周波数がある周波数を含まないとき、その周波数についての第２のＭＣＣＨ変更通知を送らないようにすることを決定することができる。ステップ２７１０で、ｅＮＢは、（たとえば、ＵＥが第２のセルから受信するように構成されたので）ＵＥが第２のセルから通信を受信することができると決定し、ＵＥが第２のセルから通信を受信することができるとの決定に基づいて、第２のセルからＭＣＣＨ変更通知を送ることを決定することができる。代替として、ｅＮＢは、ｅＮＢによって送信された各周波数上でＭＣＣＨ変更通知を送ることができる。たとえば、ｅＮＢが周波数ｆ1とｆ2とｆ3とを送信すると仮定する。ｅＮＢは、ｆ2およびｆ3上でｆ1についてのＭＣＣＨ変更通知を送信することができる。ｅＮＢは、ｆ1上でＭＣＣＨ変更通知を送信することもできる。別の構成では、ｅＮＢによってサービスされるＵＥがｆ3上で受信していないとｅＮＢが決定した場合、ｅＮＢはｆ2上またはｆ1上とｆ2上の両方でｆ1についてのＭＣＣＨ変更通知を送信することができる。
【００７６】
[00124]図２８は、ワイヤレス通信の第３の方法のフローチャート２８００である。方法はＵＥによって実行され得る。図２８に示されたように、ステップ２８０２で、ＵＥは、プライマリセルからのプライマリキャリアと、１つまたは複数のセカンダリセルからの１つまたは複数のセカンダリキャリアとを含む、アグリゲートされたキャリアを有する構成を受信する。ステップ２８０６で、ＵＥは、構成とともに、プライマリセルからの１つまたは複数のセカンダリセルのうちの少なくとも１つのセカンダリセルについてのＳＩＢ１３情報を受信する。ＳＩＢ１３情報はＰＤＳＣＨ上で受信され得る。ＳＩＢ１３情報は、構成とともに情報要素内でＵＥに受信され得る。情報要素は、無線リソース構成共通セカンダリセル情報要素であり得る。ＳＩＢ１３情報は、１つまたは複数のＭＢＳＦＮエリアに関連付けられたＭＢＭＳ制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成とを含み得る。ＳＩＢ１３情報は、ＲＲＣ接続再構成メッセージ内で受信され得る。ステップ２８０４で、ＵＥは、少なくとも１つのセカンダリセルに対応する少なくとも１つの関心のある周波数を指定する、ＭＢＭＳ関心インジケーションメッセージを送信することができる。そのような構成では、ステップ２８０６で、ＳＩＢ１３情報は、ＭＢＭＳ関心インジケーションメッセージに応答して、少なくとも１つのセカンダリセルについて受信され得る。
【００７７】
[00125]図２９は、ワイヤレス通信の第４の方法のフローチャート２９００である。方法はＵＥによって実行され得る。図２９に示されたように、ステップ２９０２で、ＵＥは、プライマリセルからのプライマリキャリアと、１つまたは複数の対応するセカンダリセルからの１つまたは複数のセカンダリキャリアとを含む、アグリゲートされたキャリアを有する構成を受信する。ステップ２９０６で、ＵＥは、第２のセルの第２の周波数上で、第１のセルの第１の周波数についてのＭＣＣＨ変更通知を受信する。ＭＣＣＨ変更通知は、ＰＤＣＣＨ上で受信され得る。ＭＣＣＨ変更通知は、ＤＣＩ内で受信され得る。ＤＣＩは、ＤＣＩフォーマットの１Ｃメッセージ内で受信され得る。ＤＣＩは、ＭＣＣＨ変更通知が適用される第１のセルの周波数インデックスを識別するＣＦＩをさらに含み得る。ステップ２９０８で、ＵＥは、第１のセルから第１のセルについてのＭＣＣＨ変更通知を受信することもできる。第１のセルについてのＭＣＣＨ変更通知は、第１のセルおよび第２のセルから同時に受信され得る。ステップ２９０４で、ＵＥは、ＭＢＭＳ関心インジケーションメッセージを送信することができる。ＭＢＭＳ関心インジケーションメッセージは、第１の周波数を含む少なくとも１つの関心のある周波数を指定することができる。そのような構成では、ステップ２９０６で、第１のセルについてのＭＣＣＨ変更通知は、ＭＢＭＳ関心インジケーションメッセージに応答して受信され得る。
【００７８】
[00126]図３０は、ワイヤレス通信の第５の方法のフローチャート３０００である。方法はＵＥによって実行され得る。図３０に示されたように、ステップ３００２で、ＵＥは、第１の受信チェーンを介してサービングｅＮＢの第１のセルから第１の周波数上で、ユニキャスト通信またはブロードキャスト／マルチキャスト通信のうちの少なくとも１つを受信する。ステップ３００４で、ＵＥは、ブロードキャスト／マルチキャスト信号通信、同期信号通信、または基準信号通信のうちの少なくとも１つを受信する命令をサービングｅＮＢから受信せずに、第２の受信チェーンを介してサービングｅＮＢの第２のセルから第２の周波数上で、ブロードキャスト／マルチキャスト信号通信、同期信号通信、または基準信号通信のうちの少なくとも１つを受信する。
【００７９】
[00127]第１の構成では、図１４に関して記載されたように、ＵＥはＲＲＣアイドルモードにあり得るし、第１の周波数上のページング信号は、第１の受信チェーンを介して受信され、第２の周波数上のＳＩＢ１３またはＭＣＣＨのうちの少なくとも１つは、第２の受信チェーンを介して受信され得る。第２の構成では、図１５に関して記載されたように、ＵＥはＲＲＣアイドルモードにあり得るし、第１の周波数上のページング信号は、第１の受信チェーンを介して受信され、第２の周波数上のＳＩＢ１３またはＭＣＣＨのうちの少なくとも１つは、第２の受信チェーンを介して受信され得る。加えて、ステップ３００６で、ＵＥは、受信されたＳＩＢ１３またはＭＣＣＨのうちの少なくとも１つに基づいて、第２の受信チェーンを介して第２の周波数上でＭＢＭＳサービスを受信することを決定することができる。ステップ３００８で、ＵＥは、第２のセルに対して周波数間セルの再選択を実行する前に、第２の受信チェーンを介して第２の周波数上でＭＢＭＳサービスを受信することができる。ステップ３０１０で、ＵＥは、第２の周波数を最も高い優先順位に設定することができる。ステップ３０１２で、ＵＥは、第２のセルに対して周波数間セルの再選択を実行することができる。ステップ３０１４で、ＵＥは、第２のセルに対して周波数間セルの再選択を実行すると、第１の受信チェーンを介して第１のセルから第１の周波数上ではなく、第２の受信チェーンを介して第２のセルから第２の周波数上でページング信号を受信することができる。ステップ３０１６で、ＵＥは、第１の受信チェーンをオフにして電力を節約することができる。第３の構成では、図１６に関して記載されたように、ＵＥはＲＲＣアイドルモードにあり得るし、第１の周波数上のページング信号は、第１の受信チェーンを介して受信され、第２の周波数上のＳＩＢ１３またはＭＣＣＨのうちの少なくとも１つは、第２の受信チェーンを介して受信され得る。加えて、ＵＥは、第１の受信チェーンを介して第１の周波数上でＭＢＭＳサービスを受信することができる。
【００８０】
[00128]図３１は、ワイヤレス通信の第６の方法のフローチャート３１００である。方法はＵＥによって実行され得る。図３１に示されたように、ステップ３１０２で、ＵＥは、第１の受信チェーンを介してサービングｅＮＢの第１のセルから第１の周波数上で、ユニキャスト通信またはブロードキャスト／マルチキャスト通信のうちの少なくとも１つを受信する。ステップ３１０４で、ＵＥは、ブロードキャスト／マルチキャスト信号通信、同期信号通信、または基準信号通信のうちの少なくとも１つを受信する命令をサービングｅＮＢから受信せずに、第２の受信チェーンを介してサービングｅＮＢの第２のセルから第２の周波数上で、ブロードキャスト／マルチキャスト信号通信、同期信号通信、または基準信号通信のうちの少なくとも１つを受信する。
【００８１】
[00129]第４の構成では、図１７に関して記載されたように、ＵＥはＲＲＣアイドルモードにあり得るし、第１の周波数上のページング信号は、第１の受信チェーンを介して受信され、第２の周波数上のＳＩＢ１３またはＭＣＣＨのうちの少なくとも１つは、第２の受信チェーンを介して受信され得る。加えて、ＵＥは、第１の受信チェーンを介して第１の周波数上でＭＢＭＳサービスを受信することができる。さらに、ステップ３１０６で、ＵＥは、受信されたＳＩＢ１３またはＭＣＣＨのうちの少なくとも１つに基づいて、第２の受信チェーンを介して第２の周波数上で第２のＭＢＭＳサービスを受信することを決定することができる。ステップ３１０８で、ＵＥは、第２の受信チェーンを介して第２の周波数上で第２のＭＢＭＳサービスを受信することができる。ステップ３１１０で、ＵＥは、第２の受信チェーンを介して第２の周波数上で、ページング信号と、ＭＩＢと、ＳＩＢ１と、ＳＩＢ１３とをモニタすることができる。ＵＥは、ＳＩＢ１を取得するための情報を入手するためにＭＩＢを入手することができる。ＵＥは、ＳＩＢ１３を取得するための情報を入手するためにＳＩＢ１を取得することができる。ＵＥは、中断なしに第２の受信チェーンを介してｅＭＢＭＳサービスを受信するために、ｅＭＢＭＳサービスに関連付けられた情報を入手するためにＳＩＢ１３を取得することができる。
【００８２】
[00130]第５の構成では、図１８に関して記載されたように、ＵＥはＲＲＣ接続モードにあり、第１の周波数上のユニキャスト信号は、第１の受信チェーンを介して受信され、第２の周波数上のＳＩＢ１３またはＭＣＣＨのうちの少なくとも１つは、第２の受信チェーンを介して受信され得る。第６の構成では、図１９に関して記載されたように、ＵＥはＲＲＣ接続モードにあり得るし、第１の周波数上のユニキャスト信号は、第１の受信チェーンを介して受信され、第２の周波数上のＳＩＢ１３またはＭＣＣＨのうちの少なくとも１つは、第２の受信チェーンを介して受信され得る。加えて、ステップ３１０６で、ＵＥは、受信されたＳＩＢ１３またはＭＣＣＨのうちの少なくとも１つに基づいて、第２の受信チェーンを介して第２の周波数上でＭＢＭＳサービスを受信することを決定することができる。ステップ３１０８で、ＵＥは、第２の受信チェーンを介して第２の周波数上でＭＢＭＳサービスを受信することができる。ステップ３１１０で、ＵＥは、第２の受信チェーンを介して第２の周波数上で、ページング信号と、ＭＩＢと、ＳＩＢ１と、ＳＩＢ１３とをモニタすることができる。ＵＥは、ＳＩＢ１を取得するための情報を入手するためにＭＩＢを入手することができる。ＵＥは、ＳＩＢ１３を取得するための情報を入手するためにＳＩＢ１を取得することができる。ＵＥは、中断なしに第２の受信チェーンを介してｅＭＢＭＳサービスを受信するために、ｅＭＢＭＳサービスに関連付けられた情報を入手するためにＳＩＢ１３を取得することができる。
【００８３】
[00131]図３２は、ワイヤレス通信の第７の方法のフローチャート３２００である。方法はＵＥによって実行され得る。図３２に示されたように、ステップ３２０２で、ＵＥは、第１の受信チェーンを介してサービングｅＮＢの第１のセルから第１の周波数上で、ユニキャスト通信またはブロードキャスト／マルチキャスト通信のうちの少なくとも１つを受信する。ステップ３２０４で、ＵＥは、ブロードキャスト／マルチキャスト信号通信、同期信号通信、または基準信号通信のうちの少なくとも１つを受信する命令をサービングｅＮＢから受信せずに、第２の受信チェーンを介してサービングｅＮＢの第２のセルから第２の周波数上で、ブロードキャスト／マルチキャスト信号通信、同期信号通信、または基準信号通信のうちの少なくとも１つを受信する。
【００８４】
[00132]第６の構成では、図１９に関して記載されたように、ＵＥはＲＲＣ接続モードにあり、第１の周波数上のユニキャスト信号は、第１の受信チェーンを介して受信され、第２の周波数上のＳＩＢ１３またはＭＣＣＨのうちの少なくとも１つは、第２の受信チェーンを介して受信され得る。加えて、ステップ３２０６で、ＵＥは、受信されたＳＩＢ１３またはＭＣＣＨのうちの少なくとも１つに基づいて、第２の受信チェーンを介して第２の周波数上でＭＢＭＳサービスを受信することを決定することができる。ステップ３２０８で、ＵＥは、第２の受信チェーンを介して第２の周波数上でＭＢＭＳサービスを受信することができる。ステップ３２１０で、ＵＥは、第１のセルまたは第２のセルのうちの１つに対応する少なくとも１つの関心のある周波数を指定する、ＭＢＭＳ関心インジケーションメッセージをサービングｅＮＢに送ることができる。ステップ３２１２で、ＵＥは、少なくとも１つの関心のある周波数が第２のセルに対応するとき、第２のセルに対して周波数間ハンドオーバを行うようにＵＥに命令するメッセージを受信することができる。ステップ３２１４で、ＵＥは、メッセージを受信すると、第２のセルに対して周波数間ハンドオーバを実行することができる。
【００８５】
[00133]図３３は、ワイヤレス通信の第８の方法のフローチャート３３００である。方法はＵＥによって実行され得る。図３３に示されたように、ステップ３３０４で、ＵＥは、第１の受信チェーンを介してサービングｅＮＢの第１のセルから第１の周波数上で、ユニキャスト通信またはブロードキャスト／マルチキャスト通信のうちの少なくとも１つを受信する。ステップ３３０６で、ＵＥは、ブロードキャスト／マルチキャスト信号通信、同期信号通信、または基準信号通信のうちの少なくとも１つを受信する命令をサービングｅＮＢから受信せずに、第２の受信チェーンを介してサービングｅＮＢの第２のセルから第２の周波数上で、ブロードキャスト／マルチキャスト信号通信、同期信号通信、または基準信号通信のうちの少なくとも１つを受信する。
【００８６】
[00134]第７の構成では、図２０に関して記載されたように、ステップ３３０２で、ＵＥは、プライマリセルとセカンダリセルとを含むアグリゲートされたキャリア向けの構成を受信する。第１のセルはプライマリセルであり、第２のセルはセカンダリセルである。ユニキャスト信号は、第１の受信チェーンを介してプライマリセルから受信される。ステップ３３０８で、ＵＥは、第２の受信チェーンを介して第２の周波数上で、少なくとも１つのページング信号と、ＭＩＢと、ＳＩＢ１と、ＳＩＢ１３とをモニタする。ステップ３３１０で、ＵＥは、第２の受信チェーンを介してセカンダリセルから、ＳＩＢ１３、ＭＣＣＨ、およびＭＴＣＨのうちの少なくとも１つを受信することができる。ステップ３３１２で、ＵＥは、第３の周波数を指定するＭＢＭＳ関心インジケーションメッセージをサービングｅＮＢに送ることができる。ステップ３３１４で、ＵＥは、その中でプライマリセルまたはセカンダリセルのうちの１つが第３の周波数を提供する、アグリゲートされたキャリア向けの構成を受信することができる。
【００８７】
[00135]図３４は、ワイヤレス通信の第９の方法のフローチャート３４００である。方法はＵＥによって実行され得る。図３４に示されたように、ステップ３４０２で、ＵＥは、第１の受信チェーンを介してサービングｅＮＢの第１のセルから第１の周波数上で、ユニキャスト通信またはブロードキャスト／マルチキャスト通信のうちの少なくとも１つを受信する。ステップ３４０６で、ＵＥは、ブロードキャスト／マルチキャスト信号通信、同期信号通信、または基準信号通信のうちの少なくとも１つを受信する命令をサービングｅＮＢから受信せずに、第２の受信チェーンを介してサービングｅＮＢの第２のセルから第２の周波数上で、ブロードキャスト／マルチキャスト信号通信、同期信号通信、または基準信号通信のうちの少なくとも１つを受信する。
【００８８】
[00136]第９の構成では、図２２に関して記載されたように、ＵＥは、第１の受信チェーンを介して第１の周波数上でページング信号とＭＢＭＳサービスとを受信する。ステップ３４０４で、ＵＥは、第１の周波数がそれを介して受信されたＶＰＬＭＮよりも高い優先順位を有するＰＬＭＮを探索することを決定する。そのような構成では、ステップ３４０６で、ＵＥは、ＶＰＬＭＮよりも高い優先順位を有するＰＬＭＮを探索することを決定すると、第２の受信チェーンを介して第２の周波数上でＭＩＢとＳＩＢ１とを受信する。
【００８９】
[00137]図３５は、ワイヤレス通信の第１０の方法のフローチャート３５００である。方法はＵＥによって実行され得る。図３５に示されたように、ステップ３５０２で、ＵＥは、第１の受信チェーンを介してサービングｅＮＢの第１のセルから第１の周波数上で、ユニキャスト通信またはブロードキャスト／マルチキャスト通信のうちの少なくとも１つを受信する。ステップ３５０６で、ＵＥは、ブロードキャスト／マルチキャスト信号通信、同期信号通信、または基準信号通信のうちの少なくとも１つを受信する命令をサービングｅＮＢから受信せずに、第２の受信チェーンを介してサービングｅＮＢの第２のセルから第２の周波数上で、ブロードキャスト／マルチキャスト信号通信、同期信号通信、または基準信号通信のうちの少なくとも１つを受信する。
【００９０】
[00138]第１０の構成では、図２３に関して記載されたように、ＲＲＣアイドルモードにあるＵＥは、第１の受信チェーンを介して第１の周波数上でページング信号とＭＢＭＳサービスとを受信する。ステップ３５０４で、ＵＥは、周波数間測定またはＲＡＴ間測定を実行することを決定する。そのような構成では、ステップ３５０６で、ＵＥは、周波数間測定またはＲＡＴ間測定を実行することを決定すると、第２の受信チェーンを介して第２の周波数上で、ＰＳＳと、ＳＳＳと、ＣＲＳとを受信する。
【００９１】
[00139]第１１の構成では、図２４に関して記載されたように、第１の周波数上のユニキャストサービスおよびＭＢＭＳサービスは、第１の受信チェーンを介して受信される。したがって、ＵＥはＲＲＣ接続モードに入っている。ステップ３５０４で、ＵＥは、周波数間測定またはＲＡＴ間測定を実行することを決定する。そのような構成では、ステップ３５０６で、ＵＥは、周波数間測定またはＲＡＴ間測定を実行することを決定すると、第２の受信チェーンを介して第２の周波数上で、ＰＳＳと、ＳＳＳと、ＣＲＳとを受信する。
【００９２】
[00140]図３６は、ワイヤレス通信の第１１の方法のフローチャート３６００である。方法はＵＥによって実行され得る。図３６に示されたように、ステップ３６０２で、ＵＥは、第１の受信チェーンを介してサービングｅＮＢの第１のセルから第１の周波数上で、ユニキャスト通信またはブロードキャスト／マルチキャスト通信のうちの少なくとも１つを受信する。ステップ３６０６で、ＵＥは、ブロードキャスト／マルチキャスト信号通信、同期信号通信、または基準信号通信のうちの少なくとも１つを受信する命令をサービングｅＮＢから受信せずに、第２の受信チェーンを介してサービングｅＮＢの第２のセルから第２の周波数上で、ブロードキャスト／マルチキャスト信号通信、同期信号通信、または基準信号通信のうちの少なくとも１つを受信する。
【００９３】
[00141]第１２の構成では、図２５に関して記載されたように、ＵＥは、第１の受信チェーンを介して第１の周波数上でユニキャストサービスとＭＢＭＳサービスとを受信する。ステップ３６０４で、ＵＥは、第１の受信チェーンを介してＡＮＲ測定を実行するメッセージを受信し、第２の受信チェーンを介してＡＮＲ測定を実行する。
【００９４】
[00142]図３７は、例示的な装置３７０２中の異なるモジュール／手段／構成要素間のデータフローを示す概念データフロー図３７００である。装置は、プライマリセルからのプライマリキャリアと、１つまたは複数のセカンダリセルからの１つまたは複数のセカンダリキャリアとを含む、アグリゲートされたキャリアでＵＥを構成するために、情報要素生成モジュール３７０６と通信するように構成された、アグリゲートされたキャリア構成モジュール３７０４を含む。装置３７０２は、情報要素生成モジュール３７０６と通信して、情報要素（ＩＥ）を入手し、構成とともに、プライマリセルからの１つまたは複数のセカンダリセルのうちの少なくとも１つのセカンダリセルについてのＳＩＢ１３情報を送るように構成された、送信モジュールをさらに含む。送信モジュール３７０８は、ＰＤＳＣＨ上でＳＩＢ１３情報を送るように構成され得る。送信モジュール３７０８は、構成とともに情報要素内でＵＥ３７５０にＳＩＢ１３情報を送るように構成され得る。情報要素は、無線リソース構成共通セカンダリセル情報要素であり得る。ＳＩＢ１３情報は、１つまたは複数のＭＢＳＦＮエリアに関連付けられたＭＢＭＳ制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成とを含み得る。送信モジュール３７０８は、ＲＲＣ接続再構成メッセージ内でＳＩＢ１３情報を送るように構成され得る。装置３７０２は、少なくとも１つのセカンダリセルに対応する少なくとも１つの関心のある周波数を指定する、ＭＢＭＳ関心インジケーションメッセージを受信するように構成された、受信モジュール３７１０をさらに含み得る。情報要素生成モジュール３７０６は、受信モジュール３７１０からＭＢＭＳ関心インジケーションメッセージを受信し、受信されたＭＢＭＳ関心インジケーションメッセージに基づいて、少なくとも１つの関心のあるセカンダリセルの各々についてのＳＩＢ１３情報を含むように情報要素を構築するように構成される。送信モジュール３７０８は、情報要素内でＳＩＢ１３情報を送るように構成される。
【００９５】
[00143]本装置は、図２６の上述のフローチャート中のアルゴリズムのステップの各々を実行する追加のモジュールを含み得る。したがって、図２６の上述のフローチャート内の各ステップは、１つのモジュールによって実行され、装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９６】
[00144]図３８は、処理システム３８１４を用いる装置３７０２’のためのハードウェア実装形態の一例を示す図３８００である。処理システム３８１４は、バス３８２４によって概略的に表されるバスアーキテクチャを用いて実装され得る。バス３８２４は、処理システム３８１４の特定の適用例および全体的な設計制約に応じて、任意の数の相互接続バスおよびブリッジを含み得る。バス３８２４は、プロセッサ３８０４、モジュール３７０４、３７０６、３７０８、３７１０、およびコンピュータ可読媒体３８０６によって表される１つまたは複数のプロセッサおよび／またはハードウェアモジュールを含む様々な回路を互いにリンクする。バス３８２４はまた、タイミングソース、周辺機器、電圧調整器、および電力管理回路など、様々な他の回路をリンクし得るが、これらの回路は当技術分野においてよく知られており、したがって、これ以上説明しない。
【００９７】
[00145]処理システム３８１４は、トランシーバ３８１０に結合され得る。トランシーバ３８１０は、１つまたは複数のアンテナ３８２０に結合される。トランシーバ３８１０は、伝送媒体を介して様々な他の装置と通信するための手段を与える。処理システム３８１４は、コンピュータ可読媒体３８０６に結合されたプロセッサ３８０４を含む。プロセッサ３８０４は、コンピュータ可読媒体３８０６に記憶されたソフトウェアの実行を含む一般的な処理を担当する。ソフトウェアは、プロセッサ３８０４によって実行されたとき、処理システム３８１４に、任意の特定の装置のための上記で説明した様々な機能を実行させる。コンピュータ可読媒体３８０６はまた、ソフトウェアを実行するときにプロセッサ３８０４によって操作されるデータを記憶するために使用され得る。処理システムは、モジュール３７０４とモジュール３７０６とモジュール３７０８とモジュール３７１０のうちの少なくとも１つをさらに含む。モジュールは、コンピュータ可読媒体３８０６に常駐する／記憶されたプロセッサ３８０４の中で実行中のソフトウェアモジュール、プロセッサ３８０４に結合した１つまたは複数のハードウェアモジュール、または何らかのそれらの組合せであり得る。処理システム３８１４は、ｅＮＢ６１０の構成要素であり得るし、メモリ６７６、ならびに／またはＴＸプロセッサ６１６、ＲＸプロセッサ６７０、およびコントローラ／プロセッサ６７５のうちの少なくとも１つを含み得る。
【００９８】
[00146]一構成では、ワイヤレス通信のための装置３７０２／３７０２’は、プライマリセルからのプライマリキャリアと、１つまたは複数のセカンダリセルからの１つまたは複数のセカンダリキャリアとを含む、アグリゲートされたキャリアでＵＥを構成するための手段を含む。装置は、構成とともに、プライマリセルからの１つまたは複数のセカンダリセルのうちの少なくとも１つのセカンダリセルについてのＳＩＢ１３情報を送るための手段をさらに含む。装置は、少なくとも１つのセカンダリセルに対応する少なくとも１つの関心のある周波数を指定するＭＢＭＳ関心インジケーションメッセージを受信するための手段と、受信されたＭＢＭＳ関心インジケーションメッセージに基づいて、少なくとも１つのセカンダリセルの各々についてのＳＩＢ１３情報を含むように情報要素を構築するための手段とをさらに含み得る。ＳＩＢ１３情報は情報要素内で送られる。
【００９９】
[00147]上述の手段は、上述の手段によって列挙された機能を実行するように構成された、装置３７０２、および／または装置３７０２’の処理システム３８１４の上述のモジュールのうちの１つまたは複数であり得る。上記に記載されたように、処理システム３８１４は、ＴＸプロセッサ６１６と、ＲＸプロセッサ６７０と、コントローラ／プロセッサ６７５とを含み得る。したがって、一構成では、上述の手段は、上述の手段によって列挙された機能を実行するように構成された、ＴＸプロセッサ６１６、ＲＸプロセッサ６７０、およびコントローラ／プロセッサ６７５であり得る。
【０１００】
[00148]図３９は、例示的な装置３９０２中の異なるモジュール／手段／構成要素間のデータフローを示す概念データフロー図３９００である。装置３９０２は、ＭＣＣＨ変更通知を構築するように構成された、ＭＣＣＨ変更通知モジュール３９０６を含む。装置３９０２は、ＭＣＣＨ変更通知モジュール３９０６からＭＣＣＨ変更通知を受信し、第２のセルの第２の周波数上で第１のセルの第１の周波数についてのＭＣＣＨ変更通知をＵＥ３９５０に送るように構成された、送信モジュール３９０８をさらに含む。送信モジュール３９０８は、ＰＤＣＣＨ上でＭＣＣＨ変更通知を送るように構成され得る。送信モジュール３９０８は、ＤＣＩ内でＭＣＣＨ変更通知を送るように構成され得る。送信モジュール３９０８は、ＤＣＩフォーマットの１Ｃメッセージ内でＤＣＩを送るように構成され得る。ＭＣＣＨ変更通知モジュール３９０６は、ＭＣＣＨ変更通知が適用される第１のセルの周波数インデックスを識別するキャリア周波数インデックスを、ＤＣＩ内に含めるように構成され得る。送信モジュール３９０８は、第１のセルから第１のセルについてのＭＣＣＨ変更通知を送るように構成され得る。送信モジュール３９０８は、第１のセルおよび第２のセルから同時に第１のセルについてのＭＣＣＨ変更通知を送るように構成され得る。装置３９０２は、少なくとも１つのＵＥの各々からＭＢＭＳ関心インジケーションメッセージを受信するように構成された、受信モジュール３９０４をさらに含み得る。少なくとも１つのＵＥの各々からのＭＢＭＳ関心インジケーションメッセージのうちの少なくとも１つは、第１の周波数を含む少なくとも１つの関心のある周波数を指定することができる。受信モジュール３９０４は、ＭＣＣＨ変更通知モジュール３９０６にＭＢＭＳ関心インジケーションメッセージを供給するように構成され、ＭＣＣＨ変更通知モジュール３９０６は、指定された少なくとも１つの関心のある周波数に基づいて、第１のセルについてのＭＣＣＨ変更通知を送ることを決定するために、送信モジュール３９０８と通信するように構成される。ＭＣＣＨ変更通知モジュール３９０６は、少なくとも１つの関心のある周波数がある周波数を含まないとき、その周波数についての第２のＭＣＣＨ変更通知を送らないようにすることを決定するように構成され得る。ＭＣＣＨ変更通知モジュール３９０６は、ＵＥが第２のセルから通信を受信することができると決定し、ＵＥが第２のセルから通信を受信することができるとの決定に基づいて、第２のセルからＭＣＣＨ変更通知を送ることを決定するように構成され得る。ＭＣＣＨ変更通知モジュール３９０６は、ｅＮＢによって送信された各周波数上でＭＣＣＨ変更通知を送るために、送信モジュール３９０８と通信するように構成され得る。
【０１０１】
[00149]装置は、図２７の上述のフローチャート内のアルゴリズムのステップの各々を実行する追加のモジュールを含み得る。したがって、図２７の上述のフローチャート内の各ステップは、１つのモジュールによって実行され、装置は、それらのモジュールのうちの１つまたは複数を含み得る。それらのモジュールは、述べられたプロセス／アルゴリズムを遂行するように具体的に構成され、述べられたプロセス／アルゴリズムを実行するように構成されたプロセッサによって実装され、プロセッサによる実装のためにコンピュータ可読媒体内に記憶された、１つもしくは複数のハードウェア構成要素、またはそれらの何らかの組合せであり得る。
【０１０２】
[00150]図４０は、処理システム４０１４を用いる装置３９０２’のためのハードウェア実装形態の一例を示す図４０００である。処理システム４０１４は、バス４０２４によって全般的に表されるバスアーキテクチャを用いて実装され得る。バス４０２４は、処理システム４０１４の特定の適用例および全体的な設計制約に応じて、任意の数の相互接続するバスとブリッジとを含み得る。バス４０２４は、プロセッサ４００４、モジュール３９０４、３９０６、３９０８、およびコンピュータ可読媒体４００６によって表される、１つまたは複数のプロセッサおよび／またはハードウェアモジュールを含む様々な回路を互いにリンクする。バス４０２４はまた、タイミングソース、周辺機器、電圧調整器、および電力管理回路などの様々な他の回路をリンクすることができるが、これらの回路は当技術分野においてよく知られており、したがって、これ以上記載されない。
【０１０３】
[00151]処理システム４０１４は、トランシーバ４０１０に結合され得る。トランシーバ４０１０は、１つまたは複数のアンテナ４０２０に結合される。トランシーバ４０１０は、伝送媒体を介して様々な他の装置と通信するための手段を提供する。処理システム４０１４は、コンピュータ可読媒体４００６に結合されたプロセッサ４００４を含む。プロセッサ４００４は、コンピュータ可読媒体４００６に記憶されたソフトウェアの実行を含む一般的な処理に関与する。ソフトウェアは、プロセッサ４００４によって実行されたとき、任意の特定の装置のための上記に記載された様々な機能を処理システム４０１４に実行させる。コンピュータ可読媒体４００６は、ソフトウェアを実行するときにプロセッサ４００４によって操作されるデータを記憶するためにさらに使用されうる。処理システムは、モジュール３９０４、３９０６、および３９０８のうちの少なくとも１つをさらに含む。それらのモジュールは、プロセッサ４００４内で動作し、コンピュータ可読媒体４００６内に存在する／記憶されたソフトウェアモジュール、プロセッサ４００４に結合された１つもしくは複数のハードウェアモジュール、またはそれらの何らかの組合せであり得る。処理システム４０１４は、ｅＮＢ６１０の構成要素であり得るし、メモリ６７６、ならびに／またはＴＸプロセッサ６１６、ＲＸプロセッサ６７０、およびコントローラ／プロセッサ６７５のうちの少なくとも１つを含み得る。
【０１０４】
[00152]一構成では、ワイヤレス通信のための装置３９０２／３９０２’は、ＭＣＣＨ変更通知を構築するための手段と、第２のセルの第２の周波数上で第１のセルの第１の周波数についてのＭＣＣＨ変更通知を送るための手段とを含む。装置は、第１のセルから第１のセルについてのＭＣＣＨ変更通知を送るための手段をさらに含み得る。装置は、少なくとも１つのＵＥの各々からＭＢＭＳ関心インジケーションメッセージを受信するための手段をさらに含み得る。少なくとも１つのＵＥの各々からのＭＢＭＳ関心インジケーションメッセージのうちの少なくとも１つは、第１の周波数を含む少なくとも１つの関心のある周波数を指定することができる。装置は、指定された少なくとも１つの関心のある周波数に基づいて、第１のセルについてのＭＣＣＨ変更通知を送ることを決定するための手段をさらに含み得る。装置は、少なくとも１つの関心のある周波数がある周波数を含まないとき、その周波数についての第２のＭＣＣＨ変更通知を送らないようにすることを決定するための手段をさらに含み得る。装置は、ＵＥが第２のセルから通信を受信することができると決定するための手段と、ＵＥが第２のセルから通信を受信することができるとの決定に基づいて、第２のセルからＭＣＣＨ変更通知を送ることを決定するための手段とをさらに含み得る。装置は、ｅＮＢによって送信された各周波数上でＭＣＣＨ変更通知を送るための手段をさらに含み得る。
【０１０５】
[00153]上述の手段は、上述の手段によって列挙された機能を実行するように構成された、装置３９０２、および／または装置３９０２’の処理システム４０１４の上述のモジュールのうちの１つまたは複数であり得る。上記に記載されたように、処理システム４０１４は、ＴＸプロセッサ６１６と、ＲＸプロセッサ６７０と、コントローラ／プロセッサ６７５とを含み得る。したがって、一構成では、上述の手段は、上述の手段によって列挙された機能を実行するように構成された、ＴＸプロセッサ６１６、ＲＸプロセッサ６７０、およびコントローラ／プロセッサ６７５であり得る。
【０１０６】
[00154]図４１は、例示的な装置４１０２中の異なるモジュール／手段／構成要素間のデータフローを示す概念データフロー図４１００である。装置４１０２は、プライマリセルからのプライマリキャリアと、１つまたは複数のセカンダリセルからの１つまたは複数のセカンダリキャリアとを含む、アグリゲートされたキャリアを有する構成をｅＮＢ４１５０から受信するように構成された、受信モジュール４１０４を含む。受信モジュール４１０４は、アグリゲートされたキャリアモジュール４１０６に受信された構成を供給するように構成される。受信モジュール４１０４はまた、構成とともに、プライマリセルからの１つまたは複数のセカンダリセルのうちの少なくとも１つのセカンダリセルについてのＳＩＢ１３情報を受信するように構成される。受信モジュール４１０４は、ＭＢＭＳモジュール４１１０にＳＩＢ１３情報を供給するように構成される。受信モジュール４１０４は、ＰＤＳＣＨ内でＳＩＢ１３情報を受信するように構成され得る。受信モジュール４１０４は、構成とともに情報要素内でＳＩＢ１３情報を受信するように構成され得る。情報要素は、無線リソース構成共通セカンダリセル情報要素であり得る。ＳＩＢ１３情報は、１つまたは複数のＭＢＳＦＮエリアに関連付けられたＭＢＭＳ制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成とを含み得る。受信モジュール４１０４は、ＲＲＣ接続再構成メッセージ内でＳＩＢ１３情報を受信するように構成され得る。装置４１０２は、少なくとも１つのセカンダリセルに対応する少なくとも１つの関心のある周波数を指定する、ＭＢＭＳ関心インジケーションメッセージを送信するように構成された、送信モジュール４１０８をさらに含み得る。ＳＩＢ１３情報は、ＭＢＭＳ関心インジケーションメッセージに応答して、少なくとも１つのセカンダリセルについて受信され得る。
【０１０７】
[00155]装置は、図２８の上述のフローチャート内のアルゴリズムのステップの各々を実行する追加のモジュールを含み得る。したがって、図２８の上述のフローチャート内の各ステップは、１つのモジュールによって実行され、装置は、それらのモジュールのうちの１つまたは複数を含み得る。それらのモジュールは、述べられたプロセス／アルゴリズムを遂行するように具体的に構成され、述べられたプロセス／アルゴリズムを実行するように構成されたプロセッサによって実装され、プロセッサによる実装のためにコンピュータ可読媒体内に記憶された、１つもしくは複数のハードウェア構成要素、またはそれらの何らかの組合せであり得る。
【０１０８】
[00156]図４２は、処理システム４２１４を用いる装置４１０２’のためのハードウェア実装形態の一例を示す図４２００である。処理システム４２１４は、バス４２２４によって全般的に表されるバスアーキテクチャを用いて実装され得る。バス４２２４は、処理システム４２１４の特定の適用例および全体的な設計制約に応じて、任意の数の相互接続するバスとブリッジとを含み得る。バス４２２４は、プロセッサ４２０４、モジュール４１０４、４１０６、４１０８、４１１０、およびコンピュータ可読媒体４２０６によって表される、１つまたは複数のプロセッサおよび／またはハードウェアモジュールを含む様々な回路を互いにリンクする。バス４２２４はまた、タイミングソース、周辺機器、電圧調整器、および電力管理回路などの様々な他の回路をリンクすることができるが、これらの回路は当技術分野においてよく知られており、したがって、これ以上記載されない。
【０１０９】
[00157]処理システム４２１４は、トランシーバ４２１０に結合され得る。トランシーバ４２１０は、１つまたは複数のアンテナ４２２０に結合される。トランシーバ４２１０は、伝送媒体を介して様々な他の装置と通信するための手段を提供する。処理システム４２１４は、コンピュータ可読媒体４２０６に結合されたプロセッサ４２０４を含む。プロセッサ４２０４は、コンピュータ可読媒体４２０６に記憶されたソフトウェアの実行を含む一般的な処理に関与する。ソフトウェアは、プロセッサ４２０４によって実行されたとき、任意の特定の装置のための上記に記載された様々な機能を処理システム４２１４に実行させる。コンピュータ可読媒体４２０６は、ソフトウェアを実行するときにプロセッサ４２０４によって操作されるデータを記憶するためにさらに使用され得る。処理システムは、モジュール４１０４、４１０６、４１０８、および４１１０のうちの少なくとも１つをさらに含む。それらのモジュールは、プロセッサ４２０４内で動作し、コンピュータ可読媒体４２０６内に存在する／記憶されたソフトウェアモジュール、プロセッサ４２０４に結合された１つもしくは複数のハードウェアモジュール、またはそれらの何らかの組合せであり得る。処理システム４２１４は、ＵＥ６５０の構成要素である可能性があり、メモリ６６０、および／またはＴＸプロセッサ６６８、ＲＸプロセッサ６５６、およびコントローラ／プロセッサ６５９のうちの少なくとも１つを含み得る。
【０１１０】
[00158]一構成では、ワイヤレス通信のための装置４１０２／４１０２’は、プライマリセルからのプライマリキャリアと、１つまたは複数のセカンダリセルからの１つまたは複数のセカンダリキャリアとを含む、アグリゲートされたキャリアを有する構成を受信するための手段を含む。装置は、構成とともに、プライマリセルからの１つまたは複数のセカンダリセルのうちの少なくとも１つのセカンダリセルについてのＳＩＢ１３情報を受信するための手段をさらに含む。装置は、少なくとも１つのセカンダリセルに対応する少なくとも１つの関心のある周波数を指定する、ＭＢＭＳ関心インジケーションメッセージを送信するための手段をさらに含み得る。ＳＩＢ１３情報は、ＭＢＭＳ関心インジケーションメッセージに応答して、少なくとも１つのセカンダリセルについて受信され得る。
【０１１１】
[00159]上述の手段は、上述の手段によって具陳される機能を実行するように構成された、装置４１０２、および／または装置４１０２’の処理システム４２１４の上述のモジュールのうちの１つまたは複数であり得る。上記で説明したように、処理システム４２１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８、ＲＸプロセッサ６５６、およびコントローラ／プロセッサ６５９であり得る。
【０１１２】
[00160]図４３は、例示的な装置４３０２中の異なるモジュール／手段／構成要素間のデータフローを示す概念データフロー図４３００である。装置４３０２は、プライマリセルからのプライマリキャリアと、１つまたは複数の対応するセカンダリセルからの１つまたは複数のセカンダリキャリアとを含む、アグリゲートされたキャリアを有する構成を受信するように構成された、受信モジュール４３０４を含む。受信モジュール４３０４はまた、第２のセルの第２の周波数上で、第１のセルの第１の周波数についてのＭＣＣＨ変更通知を受信するように構成される。受信モジュール４３０４は、ＰＤＣＣＨ上でＭＣＣＨ変更通知を受信するように構成され得る。受信モジュール４３０４は、ＤＣＩ内でＭＣＣＨ変更通知を受信するように構成され得る。受信モジュール４３０４は、ＤＣＩフォーマットの１Ｃメッセージ内でＤＣＩを受信するように構成され得る。ＤＣＩは、ＭＣＣＨ変更が適用される第１のセルの周波数インデックスを識別するキャリア周波数インデックスを含み得る。受信モジュール４３０４は、第１のセルから第１のセルについてのＭＣＣＨ変更通知を受信するように構成され得る。受信モジュール４３０４は、第１のセルおよび第２のセルから同時に第１のセルについてのＭＣＣＨ変更通知を受信するように構成され得る。受信モジュール４３０４は、ＭＢＭＳモジュール４３０６にＭＣＣＨ変更通知を供給するように構成され得る。ＭＢＭＳモジュール４３０６は、第１の周波数を含む少なくとも１つの関心のある周波数を指定するＭＢＭＳ関心インジケーションメッセージを生成し、送信モジュール４３０８に生成されたメッセージを供給するように構成され得る。送信モジュール４３０８は、ＭＢＭＳ関心インジケーションメッセージを送信するように構成され得る。第１のセルについてのＭＣＣＨ変更通知は、ＭＢＭＳ関心インジケーションメッセージに応答して受信され得る。
【０１１３】
[00161]装置は、図２９の上述のフローチャート内のアルゴリズムのステップの各々を実行する追加のモジュールを含み得る。したがって、図２９の上述のフローチャート内の各ステップは、１つのモジュールによって実行され、装置は、それらのモジュールのうちの１つまたは複数を含み得る。それらのモジュールは、述べられたプロセス／アルゴリズムを遂行するように具体的に構成され、述べられたプロセス／アルゴリズムを実行するように構成されたプロセッサによって実装され、プロセッサによる実装のためにコンピュータ可読媒体内に記憶された、１つもしくは複数のハードウェア構成要素、またはそれらの何らかの組合せであり得る。
【０１１４】
[00162]図４４は、処理システム４４１４を用いる装置４３０２’のためのハードウェア実装形態の一例を示す図４４００である。処理システム４４１４は、バス４４２４によって全般的に表されるバスアーキテクチャを用いて実装され得る。バス４４２４は、処理システム４４１４の特定の適用例および全体的な設計制約に応じて、任意の数の相互接続するバスとブリッジとを含み得る。バス４４２４は、プロセッサ４４０４、モジュール４３０４、４３０６、４３０８、およびコンピュータ可読媒体４４０６によって表される、１つまたは複数のプロセッサおよび／またはハードウェアモジュールを含む様々な回路を互いにリンクする。バス４４２４はまた、タイミングソース、周辺機器、電圧調整器、および電力管理回路などの様々な他の回路をリンクすることができるが、これらの回路は当技術分野においてよく知られており、したがって、これ以上記載されない。
【０１１５】
[00163]処理システム４４１４は、トランシーバ４４１０に結合され得る。トランシーバ４４１０は、１つまたは複数のアンテナ４４２０に結合される。トランシーバ４４１０は、伝送媒体を介して様々な他の装置と通信するための手段を提供する。処理システム４４１４は、コンピュータ可読媒体４４０６に結合されたプロセッサ４４０４を含む。プロセッサ４４０４は、コンピュータ可読媒体４４０６に記憶されたソフトウェアの実行を含む一般的な処理に関与する。ソフトウェアは、プロセッサ４４０４によって実行されたとき、任意の特定の装置のための上記に記載された様々な機能を処理システム４４１４に実行させる。コンピュータ可読媒体４４０６は、ソフトウェアを実行するときにプロセッサ４４０４によって操作されるデータを記憶するためにさらに使用され得る。処理システムは、モジュール４３０４、４３０６、および４３０８のうちの少なくとも１つをさらに含む。それらのモジュールは、プロセッサ４４０４内で動作し、コンピュータ可読媒体４４０６内に存在する／記憶されたソフトウェアモジュール、プロセッサ４４０４に結合された１つもしくは複数のハードウェアモジュール、またはそれらの何らかの組合せであり得る。処理システム４４１４は、ＵＥ６５０の構成要素であり得るし、メモリ６６０、ならびに／またはＴＸプロセッサ６６８、ＲＸプロセッサ６５６、およびコントローラ／プロセッサ６５９のうちの少なくとも１つを含み得る。
【０１１６】
[00164]一構成では、ワイヤレス通信のための装置４３０２／４３０２’は、プライマリセルからのプライマリキャリアと、１つまたは複数の対応するセカンダリセルからの１つまたは複数のセカンダリキャリアとを含む、アグリゲートされたキャリアを有する構成を受信するための手段と、第２のセルの第２の周波数上で第１のセルの第１の周波数についてのＭＣＣＨ変更通知を受信するための手段とを含む。装置は、第１のセルから第１のセルについてのＭＣＣＨ変更通知を受信するための手段をさらに含み得る。装置は、ＭＢＭＳ関心インジケーションメッセージを送信するための手段をさらに含み得る。ＭＢＭＳ関心インジケーションメッセージは、第１の周波数を含む少なくとも１つの関心のある周波数を指定することができる。第１のセルについてのＭＣＣＨ変更通知は、ＭＢＭＳ関心インジケーションメッセージに応答して受信され得る。
【０１１７】
[00165]上述の手段は、上述の手段によって列挙された機能を実行するように構成された、装置４３０２、および／または装置４３０２’の処理システム４４１４の上述のモジュールのうちの１つまたは複数であり得る。上記に記載されたように、処理システム４４１４は、ＴＸプロセッサ６６８と、ＲＸプロセッサ６５６と、コントローラ／プロセッサ６５９とを含み得る。したがって、一構成では、上述の手段は、上述の手段によって列挙された機能を実行するように構成された、ＴＸプロセッサ６６８、ＲＸプロセッサ６５６、およびコントローラ／プロセッサ６５９であり得る。
【０１１８】
[00166]図４５は、例示的な装置４５０２中の異なるモジュール／手段／構成要素間のデータフローを示す概念データフロー図４５００である。装置４５０２は、第１の受信チェーンを介してサービングｅＮＢ４５５０の第１のセルから第１の周波数上で、ユニキャスト通信またはブロードキャスト／マルチキャスト通信のうちの少なくとも１つを受信するように構成された、第１の受信チェーンモジュール４５０４を含む。装置４５０２は、ブロードキャスト／マルチキャスト信号通信、同期信号通信、または基準信号通信のうちの少なくとも１つを受信する命令をサービングｅＮＢから受信せずに、第２の受信チェーンを介してサービングｅＮＢの第２のセルから第２の周波数上で、ブロードキャスト／マルチキャスト信号通信、同期信号通信、または基準信号通信のうちの少なくとも１つを受信するように構成された、第２の受信チェーンモジュール４５１０をさらに含む。
【０１１９】
[00167]一構成では、ＵＥはＲＲＣアイドルモードにあり、第１の周波数上のページング信号は、第１の受信チェーンを介して受信され、第２の周波数上のＳＩＢ１３またはＭＣＣＨのうちの少なくとも１つは、第２の受信チェーンを介して受信される。一構成では、装置４５０２は、受信されたＳＩＢ１３またはＭＣＣＨのうちの少なくとも１つに基づいて、第２の受信チェーンを介して第２の周波数上でＭＢＭＳサービスを受信することを決定するように構成された、制御モジュール４５０８をさらに含む。制御モジュール４５０８は、制御モジュール４５０８が第２のセルに対して周波数間セルの再選択を実行する前に、第２の受信チェーンを介して第２の周波数上でＭＢＭＳサービスを受信するために、第２の受信チェーンモジュール４５１０と通信するようにさらに構成される。制御モジュール４５０８は、ＭＢＭＳモジュール４５０６に受信されたＭＢＭＳサービスを供給するように構成される。制御モジュール４５０８は、第２の周波数を最も高い優先順位に設定し、第２のセルに対して周波数間セルの再選択を実行し、第２のセルに対して周波数間セルの再選択を実行すると、第１の受信チェーンを介して第１のセルから第１の周波数上ではなく、第２の受信チェーンを介して第２のセルから第２の周波数上でページング信号を受信するために、第２の受信チェーンモジュール４５１０と通信するように構成される。制御モジュール４５０８は、第１の受信チェーンをオフにするために、第２の受信チェーンモジュール４５１０と通信するようにさらに構成される。
【０１２０】
[00168]一構成では、ＭＢＭＳサービスは、第１の受信チェーンを介して第１の周波数上で受信される。一構成では、制御モジュール４５０８は、受信されたＳＩＢ１３またはＭＣＣＨのうちの少なくとも１つに基づいて、第２の受信チェーンを介して第２の周波数上で第２のＭＢＭＳサービスを受信することを決定し、第２の受信チェーンを介して第２の周波数上で第２のＭＢＭＳサービスを受信するために、第２の受信チェーンモジュール４５１０と通信するように構成される。制御モジュール４５０８は、ＭＢＭＳモジュール４５０６に受信されたＭＢＭＳサービスを供給するように構成される。制御モジュール４５０８は、第２の受信チェーンを介して第２の周波数上で、ページング信号と、ＭＩＢと、ＳＩＢ１と、ＳＩＢ１３とをモニタするために、第２の受信チェーンモジュール４５１０と通信するようにさらに構成される。一構成では、ＵＥはＲＲＣ接続モードにあり、第１の周波数上のユニキャスト信号は、第１の受信チェーンを介して受信され、第２の周波数上のＳＩＢ１３またはＭＣＣＨのうちの少なくとも１つは、第２の受信チェーンを介して受信される。一構成では、制御モジュール４５０８は、受信されたＳＩＢ１３またはＭＣＣＨのうちの少なくとも１つに基づいて、第２の受信チェーンを介して第２の周波数上でＭＢＭＳサービスを受信することを決定し、第２の受信チェーンを介して第２の周波数上でＭＢＭＳサービスを受信するために、第２の受信チェーンモジュール４５１０と通信するように構成される。制御モジュール４５０８は、ＭＢＭＳモジュール４５０６に受信されたＭＢＭＳサービスを供給するように構成される。一構成では、制御モジュール４５０８は、第２の受信チェーンを介して第２の周波数上で、ページング信号と、ＭＩＢと、ＳＩＢ１と、ＳＩＢ１３とをモニタするために、第２の受信チェーンモジュール４５１０と通信するようにさらに構成される。
【０１２１】
[00169]一構成では、ＭＢＭＳモジュール４５０６は、第１のセルまたは第２のセルのうちの１つに対応する少なくとも１つの関心のある周波数を指定するＭＢＭＳ関心インジケーションメッセージを生成し、サービングｅＮＢ４５５０にＭＢＭＳ関心インジケーションメッセージを送るために、送信モジュール４５１２と通信するように構成される。制御モジュール４５０８は、少なくとも１つの関心のある周波数が第２のセルに対応するとき、第２のセルに対して周波数間ハンドオーバを行うように命令するメッセージを受信し、メッセージを受信すると第２のセルに対して周波数間ハンドオーバを実行するように構成される。一構成では、制御モジュール４５０８は、プライマリセルとセカンダリセルとを含むアグリゲートされたキャリア向けの構成を受信するように構成される。第１のセルはプライマリセルであり、第２のセルはセカンダリセルである。ユニキャスト信号は、第１の受信チェーンを介してプライマリセルから受信される。制御モジュール４５０８は、第２の受信チェーンを介して第２の周波数上で、少なくとも１つのページング信号と、ＭＩＢと、ＳＩＢ１と、ＳＩＢ１３とをモニタするために、第２の受信チェーンモジュール４５１０と通信するように構成される。一構成では、制御モジュール４５０８は、第２の受信チェーンを介してセカンダリセルから、ＳＩＢ１３、ＭＣＣＨ、およびＭＴＣＨのうちの少なくとも１つを受信するように構成される。一構成では、ＭＢＭＳモジュール４５０６は、第３の周波数を指定するＭＢＭＳ関心インジケーションメッセージを生成し、サービングｅＮＢ４５５０にＭＢＭＳ関心インジケーションメッセージを送るために、送信モジュール４５１２と通信するように構成される。制御モジュール４５０８は、その中でプライマリセルまたはセカンダリセルのうちの１つが第３の周波数を提供する、アグリゲートされたキャリア向けの構成を受信するように構成される。
【０１２２】
[00170]一構成では、第１の周波数上のページング信号およびＭＢＭＳサービスは、第１の受信チェーンを介して受信される。一構成では、制御モジュール４５０８は、第１の周波数がそれを介して受信されたＶＰＬＭＮよりも高い優先順位を有するＰＬＭＮを探索することを決定するように構成される。ＶＰＬＭＮよりも高い優先順位を有するＰＬＭＮを探索することを決定すると、第２の周波数上のＭＩＢおよびＳＩＢ１は、第２の受信チェーンを介して受信される。一構成では、制御モジュール４５０８は、周波数間測定またはＲＡＴ間測定を実行することを決定するように構成される。周波数間測定またはＲＡＴ間測定を実行することを決定すると、ＰＳＳ、ＳＳＳ、およびＣＲＳは、第２の受信チェーンを介して第２の周波数上で受信される。
【０１２３】
[00171]一構成では、第１の周波数上のユニキャストサービスおよびＭＢＭＳサービスは、第１の受信チェーンを介して受信される。一構成では、制御モジュール４５０８は、周波数間測定またはＲＡＴ間測定を実行することを決定するように構成される。周波数間測定またはＲＡＴ間測定を実行することを決定すると、ＰＳＳ、ＳＳＳ、およびＣＲＳは、第２の受信チェーンを介して第２の周波数上で受信される。一構成では、制御モジュール４５０８は、第１の受信チェーンを介してＡＮＲ測定を実行するメッセージを受信するために、第１の受信チェーンモジュール４５０４と通信し、第２の受信チェーンを介してＡＮＲ測定を実行するために、第２の受信チェーンモジュール４５１０と通信するように構成される。
【０１２４】
[00172]装置は、図３０〜図３６の上述のフローチャート内のアルゴリズムのステップの各々を実行する追加のモジュールを含み得る。したがって、図３０〜図３６の上述のフローチャート内の各ステップは、１つのモジュールによって実行され、装置は、それらのモジュールのうちの１つまたは複数を含み得る。それらのモジュールは、述べられたプロセス／アルゴリズムを遂行するように具体的に構成され、述べられたプロセス／アルゴリズムを実行するように構成されたプロセッサによって実装され、プロセッサによる実装のためにコンピュータ可読媒体内に記憶された、１つもしくは複数のハードウェア構成要素、またはそれらの何らかの組合せであり得る。
【０１２５】
[00173]図４６は、処理システム４６１４を用いる装置４５０２’のためのハードウェア実装形態の一例を示す図４６００である。処理システム４６１４は、バス４６２４によって全般的に表されるバスアーキテクチャを用いて実装され得る。バス４６２４は、処理システム４６１４の特定の適用例および全体的な設計制約に応じて、任意の数の相互接続するバスとブリッジとを含み得る。バス４６２４は、プロセッサ４６０４、モジュール４５０４、４５０６、４５０８、４５１０、４５１２、およびコンピュータ可読媒体４６０６によって表される、１つまたは複数のプロセッサおよび／またはハードウェアモジュールを含む様々な回路を互いにリンクする。バス４６２４はまた、タイミングソース、周辺機器、電圧調整器、および電力管理回路などの様々な他の回路をリンクすることができるが、これらの回路は当技術分野においてよく知られており、したがって、これ以上記載されない。
【０１２６】
[00174]処理システム４６１４は、トランシーバ４６１０に結合され得る。トランシーバ４６１０は、１つまたは複数のアンテナ４６２０に結合される。トランシーバ４６１０は、伝送媒体を介して様々な他の装置と通信するための手段を提供する。処理システム４６１４は、コンピュータ可読媒体４６０６に結合されたプロセッサ４６０４を含む。プロセッサ４６０４は、コンピュータ可読媒体４６０６に記憶されたソフトウェアの実行を含む一般的な処理に関与する。ソフトウェアは、プロセッサ４６０４によって実行されたとき、任意の特定の装置のための上記に記載された様々な機能を処理システム４６１４に実行させる。コンピュータ可読媒体４６０６は、ソフトウェアを実行するときにプロセッサ４６０４によって操作されるデータを記憶するためにさらに使用され得る。処理システムは、モジュール４５０４、４５０６、４５０８、４５１０、および４５１２のうちの少なくとも１つをさらに含む。それらのモジュールは、プロセッサ４６０４内で動作し、コンピュータ可読媒体４６０６内に存在する／記憶されたソフトウェアモジュール、プロセッサ４６０４に結合された１つもしくは複数のハードウェアモジュール、またはそれらの何らかの組合せであり得る。処理システム４６１４は、ＵＥ６５０の構成要素であり得るし、メモリ６６０、ならびに／またはＴＸプロセッサ６６８、ＲＸプロセッサ６５６、およびコントローラ／プロセッサ６５９のうちの少なくとも１つを含み得る。
【０１２７】
[00175]一構成では、ワイヤレス通信のための装置４５０２／４５０２’は、第１の受信チェーンを介してサービングｅＮＢの第１のセルから第１の周波数上で、ユニキャスト通信またはブロードキャスト／マルチキャスト通信のうちの少なくとも１つを受信するための手段を含む。装置は、ブロードキャスト／マルチキャスト信号通信、同期信号通信、または基準信号通信のうちの少なくとも１つを受信する命令をサービングｅＮＢから受信せずに、第２の受信チェーンを介してサービングｅＮＢの第２のセルから第２の周波数上で、ブロードキャスト／マルチキャスト信号通信、同期信号通信、または基準信号通信のうちの少なくとも１つを受信するための手段をさらに含む。一構成では、ＵＥはＲＲＣアイドルモードにあり、第１の周波数上のページング信号は、第１の受信チェーンを介して受信され、第２の周波数上のＳＩＢ１３またはＭＣＣＨのうちの少なくとも１つは、第２の受信チェーンを介して受信される。装置は、受信されたＳＩＢ１３またはＭＣＣＨのうちの少なくとも１つに基づいて、第２の受信チェーンを介して第２の周波数上でＭＢＭＳサービスを受信することを決定するための手段と、第２のセルに対して周波数間セルの再選択を実行する前に、第２の受信チェーンを介して第２の周波数上でＭＢＭＳサービスを受信するための手段とをさらに含み得る。装置は、第２の周波数を最も高い優先順位に設定するための手段と、第２のセルに対して周波数間セルの再選択を実行するための手段と、第２のセルに対して周波数間セルの再選択を実行すると、第１の受信チェーンを介して第１のセルから第１の周波数上ではなく、第２の受信チェーンを介して第２のセルから第２の周波数上でページング信号を受信するための手段とをさらに含み得る。装置は、第１の受信チェーンをオフにするための手段をさらに含み得る。
【０１２８】
[00176]一構成では、ＭＢＭＳサービスは、第１の受信チェーンを介して第１の周波数上で受信される。装置は、受信されたＳＩＢ１３またはＭＣＣＨのうちの少なくとも１つに基づいて、第２の受信チェーンを介して第２の周波数上で第２のＭＢＭＳサービスを受信することを決定するための手段と、第２の受信チェーンを介して第２の周波数上で第２のＭＢＭＳサービスを受信するための手段と、第２の受信チェーンを介して第２の周波数上で、ページング信号と、ＭＩＢと、ＳＩＢ１と、ＳＩＢ１３とをモニタするための手段とをさらに含み得る。
【０１２９】
[00177]一構成では、ＵＥはＲＲＣ接続モードにあり、第１の周波数上のユニキャスト信号は、第１の受信チェーンを介して受信され、第２の周波数上のＳＩＢ１３またはＭＣＣＨのうちの少なくとも１つは、第２の受信チェーンを介して受信される。装置は、受信されたＳＩＢ１３またはＭＣＣＨのうちの少なくとも１つに基づいて、第２の受信チェーンを介して第２の周波数上でＭＢＭＳサービスを受信することを決定するための手段と、第２の受信チェーンを介して第２の周波数上でＭＢＭＳサービスを受信するための手段とをさらに含み得る。装置は、第２の受信チェーンを介して第２の周波数上で、ページング信号と、ＭＩＢと、ＳＩＢ１と、ＳＩＢ１３とをモニタするための手段をさらに含み得る。装置は、第１のセルまたは第２のセルのうちの１つに対応する少なくとも１つの関心のある周波数を指定するＭＢＭＳ関心インジケーションメッセージをサービングｅＮＢに送るための手段と、少なくとも１つの関心のある周波数が第２のセルに対応するとき、第２のセルに対して周波数間ハンドオーバを行うように命令するメッセージを受信するための手段と、メッセージを受信すると第２のセルに対して周波数間ハンドオーバを実行するための手段とをさらに含み得る。
【０１３０】
[00178]一構成では、装置は、プライマリセルとセカンダリセルとを含むアグリゲートされたキャリア向けの構成を受信するための手段をさらに含み得る。第１のセルはプライマリセルであり、第２のセルはセカンダリセルである。ユニキャスト信号は、第１の受信チェーンを介してプライマリセルから受信される。装置は、第２の受信チェーンを介して第２の周波数上で、少なくとも１つのページング信号と、ＭＩＢと、ＳＩＢ１と、ＳＩＢ１３とをモニタするための手段をさらに含み得る。装置は、第２の受信チェーンを介してセカンダリセルから、ＳＩＢ１３、ＭＣＣＨ、およびＭＴＣＨのうちの少なくとも１つを受信するための手段をさらに含み得る。装置は、第３の周波数を指定するＭＢＭＳ関心インジケーションメッセージをサービングｅＮＢに送るための手段と、その中でプライマリセルまたはセカンダリセルのうちの１つが第３の周波数を提供する、アグリゲートされたキャリア向けの構成を受信するための手段とをさらに含み得る。
【０１３１】
[00179]一構成では、第１の周波数上のページング信号およびＭＢＭＳサービスは、第１の受信チェーンを介して受信される。装置は、第１の周波数がそれを介して受信されたＶＰＬＭＮよりも高い優先順位を有するＰＬＭＮを探索することを決定するための手段をさらに含み得る。ＶＰＬＭＮよりも高い優先順位を有するＰＬＭＮを探索することを決定すると、第２の周波数上のＭＩＢおよびＳＩＢ１は、第２の受信チェーンを介して受信される。装置は、周波数間測定またはＲＡＴ間測定を実行することを決定するための手段をさらに含み得る。周波数間測定またはＲＡＴ間測定を実行することを決定すると、ＰＳＳ、ＳＳＳ、およびＣＲＳは、第２の受信チェーンを介して第２の周波数上で受信され得る。
【０１３２】
[00180]一構成では、第１の周波数上のユニキャストサービスおよびＭＢＭＳサービスは、第１の受信チェーンを介して受信される。そのような構成では、装置は、周波数間測定またはＲＡＴ間測定を実行することを決定するための手段をさらに含み得る。周波数間測定またはＲＡＴ間測定を実行することを決定すると、ＰＳＳ、ＳＳＳ、およびＣＲＳは、第２の受信チェーンを介して第２の周波数上で受信され得る。装置は、第１の受信チェーンを介してＡＮＲ測定を実行するメッセージを受信するための手段と、第２の受信チェーンを介してＡＮＲ測定を実行するための手段とをさらに含み得る。
【０１３３】
[00181]上述の手段は、上述の手段によって列挙された機能を実行するように構成された、装置４５０２、および／または装置４５０２’の処理システム４６１４の上述のモジュールのうちの１つまたは複数であり得る。上記に記載されたように、処理システム４６１４は、ＴＸプロセッサ６６８と、ＲＸプロセッサ６５６と、コントローラ／プロセッサ６５９とを含み得る。したがって、一構成では、上述の手段は、上述の手段によって列挙された機能を実行するように構成された、ＴＸプロセッサ６６８、ＲＸプロセッサ６５６、およびコントローラ／プロセッサ６５９であり得る。
【０１３４】
[00182]開示したプロセスにおけるステップの特定の順序または階層は、例示的な手法の一例であることを理解されたい。設計上の選好に基づいて、プロセスにおけるステップの特定の順序または階層は並べ替えることができることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１３５】
[00183]以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
プライマリセルからのプライマリキャリアと、１つまたは複数のセカンダリセルからの１つまたは複数のセカンダリキャリアとを備える、アグリゲートされたキャリアでユーザ機器（ＵＥ）を構成することと、
前記構成とともに、前記プライマリセルからの前記１つまたは複数のセカンダリセルのうちの少なくとも１つのセカンダリセルのためのシステム情報ブロック１３（ＳＩＢ１３）情報を送ることと
を備える、発展型ノードＢ（ｅＮＢ）のワイヤレス通信の方法。
［Ｃ２］
前記ＳＩＢ１３情報は、物理ダウンリンク共有制御チャネル（ＰＤＳＣＨ）内で送られる、
［Ｃ１］に記載の方法。
［Ｃ３］
前記ＳＩＢ１３情報は、前記構成とともに情報要素内で前記ＵＥに送られる、
［Ｃ２］に記載の方法。
［Ｃ４］
前記情報要素は、無線リソース構成共通セカンダリセル情報要素である、
［Ｃ３］に記載の方法。
［Ｃ５］
前記ＳＩＢ１３情報は、１つまたは複数のマルチキャストブロードキャスト単一周波数ネットワーク（ＭＢＳＦＮ）エリアに関連付けられたマルチメディアブロードキャストマルチキャストサービス（ＭＢＭＳ）制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、［Ｃ２］に記載の方法。
［Ｃ６］
前記ＳＩＢ１３情報は、無線リソース制御（ＲＲＣ）接続再構成メッセージ内で送られる、
［Ｃ２］に記載の方法。
［Ｃ７］
前記少なくとも１つのセカンダリセルに対応する少なくとも１つの関心のある周波数を指定するマルチメディアブロードキャストマルチキャストサービス（ＭＢＭＳ）関心インジケーションメッセージを受信することと、
前記受信されたＭＢＭＳ関心インジケーションメッセージに基づいて、前記少なくとも１つのセカンダリセルの各々のための前記ＳＩＢ１３情報を含むように情報要素を構築することと
をさらに備え、前記ＳＩＢ１３情報は、前記情報要素内で送られる、
［Ｃ２］に記載の方法。
［Ｃ８］
プライマリセルからのプライマリキャリアと、１つまたは複数のセカンダリセルからの１つまたは複数のセカンダリキャリアとを備える、アグリゲートされたキャリアを有する構成を受信することと、
前記構成とともに、前記プライマリセルからの前記１つまたは複数のセカンダリセルのうちの少なくとも１つのセカンダリセルについてのシステム情報ブロック１３（ＳＩＢ１３）情報を受信することと
を備える、ユーザ機器（ＵＥ）のワイヤレス通信の方法。
［Ｃ９］
前記ＳＩＢ１３情報は、物理ダウンリンク共有制御チャネル（ＰＤＳＣＨ）内で受信される、
［Ｃ８］に記載の方法。
［Ｃ１０］
前記ＳＩＢ１３情報は、前記構成とともに情報要素内で受信される、
［Ｃ９］に記載の方法。
［Ｃ１１］
前記情報要素は、無線リソース構成共通セカンダリセル情報要素である、
［Ｃ１０］に記載の方法。
［Ｃ１２］
前記ＳＩＢ１３情報は、１つまたは複数のマルチキャストブロードキャスト単一周波数ネットワーク（ＭＢＳＦＮ）エリアに関連付けられたマルチメディアブロードキャストマルチキャストサービス（ＭＢＭＳ）制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、［Ｃ９］に記載の方法。
［Ｃ１３］
前記ＳＩＢ１３情報は、無線リソース制御（ＲＲＣ）接続再構成メッセージ内で受信される、
［Ｃ９］に記載の方法。
［Ｃ１４］
前記少なくとも１つのセカンダリセルに対応する少なくとも１つの関心のある周波数を指定するマルチメディアブロードキャストマルチキャストサービス（ＭＢＭＳ）関心インジケーションメッセージを送信することをさらに備え、前記ＳＩＢ１３情報は、前記ＭＢＭＳ関心インジケーションメッセージに応答して前記少なくとも１つのセカンダリセルについて受信される、
［Ｃ９］に記載の方法。
［Ｃ１５］
プライマリセルからのプライマリキャリアと、１つまたは複数のセカンダリセルからの１つまたは複数のセカンダリキャリアとを備える、アグリゲートされたキャリアでユーザ機器（ＵＥ）を構成するための手段と、
前記構成とともに、前記プライマリセルからの前記１つまたは複数のセカンダリセルのうちの少なくとも１つのセカンダリセルについてのシステム情報ブロック１３（ＳＩＢ１３）情報を送るための手段と
を備える、ワイヤレス通信のための発展型ノードＢ（ｅＮＢ）。
［Ｃ１６］
前記ＳＩＢ１３情報は、物理ダウンリンク共有制御チャネル（ＰＤＳＣＨ）内で送られる、
［Ｃ１５］に記載のｅＮＢ。
［Ｃ１７］
前記ＳＩＢ１３情報は、前記構成とともに情報要素内で前記ＵＥに送られる、
［Ｃ１６］に記載のｅＮＢ。
［Ｃ１８］
前記情報要素は、無線リソース構成共通セカンダリセル情報要素である、
［Ｃ１７］に記載のｅＮＢ。
［Ｃ１９］
前記ＳＩＢ１３情報は、１つまたは複数のマルチキャストブロードキャスト単一周波数ネットワーク（ＭＢＳＦＮ）エリアに関連付けられたマルチメディアブロードキャストマルチキャストサービス（ＭＢＭＳ）制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、［Ｃ１６］に記載のｅＮＢ。
［Ｃ２０］
前記ＳＩＢ１３情報は、無線リソース制御（ＲＲＣ）接続再構成メッセージ内で送られる、
［Ｃ１６］に記載のｅＮＢ。
［Ｃ２１］
前記少なくとも１つのセカンダリセルに対応する少なくとも１つの関心のある周波数を指定するマルチメディアブロードキャストマルチキャストサービス（ＭＢＭＳ）関心インジケーションメッセージを受信するための手段と、
前記受信されたＭＢＭＳ関心インジケーションメッセージに基づいて、前記少なくとも１つのセカンダリセルの各々について前記ＳＩＢ１３情報を含むように情報要素を構築するための手段と
をさらに備え、前記ＳＩＢ１３情報は、前記情報要素内で送られる、
［Ｃ１６］に記載のｅＮＢ。
［Ｃ２２］
プライマリセルからのプライマリキャリアと、１つまたは複数のセカンダリセルからの１つまたは複数のセカンダリキャリアとを備える、アグリゲートされたキャリアを有する構成を受信するための手段と、
前記構成とともに、前記プライマリセルからの前記１つまたは複数のセカンダリセルのうちの少なくとも１つのセカンダリセルについてのシステム情報ブロック１３（ＳＩＢ１３）情報を受信するための手段と
を備える、ワイヤレス通信のためのユーザ機器（ＵＥ）。
［Ｃ２３］
前記ＳＩＢ１３情報は、物理ダウンリンク共有制御チャネル（ＰＤＳＣＨ）内で受信される、
［Ｃ２２］に記載のＵＥ。
［Ｃ２４］
前記ＳＩＢ１３情報は、前記構成とともに情報要素内で受信される、
［Ｃ２３］に記載のＵＥ。
［Ｃ２５］
前記情報要素は、無線リソース構成共通セカンダリセル情報要素である、
［Ｃ２４］に記載のＵＥ。
［Ｃ２６］
前記ＳＩＢ１３情報は、１つまたは複数のマルチキャストブロードキャスト単一周波数ネットワーク（ＭＢＳＦＮ）エリアに関連付けられたマルチメディアブロードキャストマルチキャストサービス（ＭＢＭＳ）制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、［Ｃ２３］に記載のＵＥ。
［Ｃ２７］
前記ＳＩＢ１３情報は、無線リソース制御（ＲＲＣ）接続再構成メッセージ内で受信される、
［Ｃ２３］に記載のＵＥ。
［Ｃ２８］
前記少なくとも１つのセカンダリセルに対応する少なくとも１つの関心のある周波数を指定するマルチメディアブロードキャストマルチキャストサービス（ＭＢＭＳ）関心インジケーションメッセージを送信するための手段をさらに備え、前記ＳＩＢ１３情報が、前記ＭＢＭＳ関心インジケーションメッセージに応答して前記少なくとも１つのセカンダリセルについて受信される、
［Ｃ２３］に記載のＵＥ。
［Ｃ２９］
プライマリセルからのプライマリキャリアと、１つまたは複数のセカンダリセルからの１つまたは複数のセカンダリキャリアとを備える、アグリゲートされたキャリアでユーザ機器（ＵＥ）を構成することと、
前記構成とともに、前記プライマリセルからの前記１つまたは複数のセカンダリセルのうちの少なくとも１つのセカンダリセルについてのシステム情報ブロック１３（ＳＩＢ１３）情報を送ることと
を行うように構成された、処理システムを備える、
ワイヤレス通信のための発展型ノードＢ（ｅＮＢ）。
［Ｃ３０］
前記ＳＩＢ１３情報は、物理ダウンリンク共有制御チャネル（ＰＤＳＣＨ）内で送られる、
［Ｃ２９］に記載のｅＮＢ。
［Ｃ３１］
前記ＳＩＢ１３情報は、前記構成とともに情報要素内で前記ＵＥに送られる、
［Ｃ３０］に記載のｅＮＢ。
［Ｃ３２］
前記情報要素は、無線リソース構成共通セカンダリセル情報要素である、
［Ｃ３１］に記載のｅＮＢ。
［Ｃ３３］
前記ＳＩＢ１３情報は、１つまたは複数のマルチキャストブロードキャスト単一周波数ネットワーク（ＭＢＳＦＮ）エリアに関連付けられたマルチメディアブロードキャストマルチキャストサービス（ＭＢＭＳ）制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、［Ｃ３０］に記載のｅＮＢ。
［Ｃ３４］
前記ＳＩＢ１３情報は、無線リソース制御（ＲＲＣ）接続再構成メッセージ内で送られる、
［Ｃ３０］に記載のｅＮＢ。
［Ｃ３５］
前記処理システムは、
前記少なくとも１つのセカンダリセルに対応する少なくとも１つの関心のある周波数を指定するマルチメディアブロードキャストマルチキャストサービス（ＭＢＭＳ）関心インジケーションメッセージを受信することと、
前記受信されたＭＢＭＳ関心インジケーションメッセージに基づいて、前記少なくとも１つのセカンダリセルの各々について前記ＳＩＢ１３情報を含むように情報要素を構築することと
を行うようにさらに構成され、前記ＳＩＢ１３情報は、前記情報要素内で送られる、
［Ｃ３０］に記載のｅＮＢ。
［Ｃ３６］
プライマリセルからのプライマリキャリアと、１つまたは複数のセカンダリセルからの１つまたは複数のセカンダリキャリアとを備える、アグリゲートされたキャリアを有する構成を受信することと、
前記構成とともに、前記プライマリセルからの前記１つまたは複数のセカンダリセルのうちの少なくとも１つのセカンダリセルについてのシステム情報ブロック１３（ＳＩＢ１３）情報を受信することと
を行うように構成された、処理システムを備える、
ワイヤレス通信のためのユーザ機器（ＵＥ）。
［Ｃ３７］
前記ＳＩＢ１３情報は、物理ダウンリンク共有制御チャネル（ＰＤＳＣＨ）内で受信される、
［Ｃ３６］に記載のＵＥ。
［Ｃ３８］
前記ＳＩＢ１３情報は、前記構成とともに情報要素内で受信される、
［Ｃ３７］に記載のＵＥ。
［Ｃ３９］
前記情報要素は、無線リソース構成共通セカンダリセル情報要素である、
［Ｃ３８］に記載のＵＥ。
［Ｃ４０］
前記ＳＩＢ１３情報は、１つまたは複数のマルチキャストブロードキャスト単一周波数ネットワーク（ＭＢＳＦＮ）エリアに関連付けられたマルチメディアブロードキャストマルチキャストサービス（ＭＢＭＳ）制御情報を取得するための情報を含むＭＢＳＦＮエリア情報リストと、すべてのＭＢＳＦＮエリアに適用可能なＭＢＭＳ通知関連構成パラメータを含むＭＢＭＳ通知構成と
を備える、［Ｃ３７］に記載のＵＥ。
［Ｃ４１］
前記ＳＩＢ１３情報は、無線リソース制御（ＲＲＣ）接続再構成メッセージ内で受信される、
［Ｃ３７］に記載のＵＥ。
［Ｃ４２］
前記処理システムは、前記少なくとも１つのセカンダリセルに対応する少なくとも１つの関心のある周波数を指定するマルチメディアブロードキャストマルチキャストサービス（ＭＢＭＳ）関心インジケーションメッセージを送信するようにさらに構成され、前記ＳＩＢ１３情報は、前記ＭＢＭＳ関心インジケーションメッセージに応答して前記少なくとも１つのセカンダリセルについて受信される、
［Ｃ３７］に記載のＵＥ。
［Ｃ４３］
プライマリセルからのプライマリキャリアと、１つまたは複数のセカンダリセルからの１つまたは複数のセカンダリキャリアとを備える、アグリゲートされたキャリアでユーザ機器（ＵＥ）を構成することと、
前記構成とともに、前記プライマリセルからの前記１つまたは複数のセカンダリセルのうちの少なくとも１つのセカンダリセルについてのシステム情報ブロック１３（ＳＩＢ１３）情報を送ることと
を行うためのコードを備える、コンピュータ可読媒体を備える、
発展型ノードＢ（ｅＮＢ）内のコンピュータプログラム製品。
［Ｃ４４］
プライマリセルからのプライマリキャリアと、１つまたは複数のセカンダリセルからの１つまたは複数のセカンダリキャリアとを備える、アグリゲートされたキャリアを有する構成を受信することと、
前記構成とともに、前記プライマリセルからの前記１つまたは複数のセカンダリセルのうちの少なくとも１つのセカンダリセルについてのシステム情報ブロック１３（ＳＩＢ１３）情報を受信することと
を行うためのコードを備える、コンピュータ可読媒体を備える、
ユーザ機器（ＵＥ）内のコンピュータプログラム製品。
【図１】
0006479668.tif 000002
【図２】
0006479668.tif 000003
【図３】
0006479668.tif 000004
【図４】
0006479668.tif 000005
【図５】
0006479668.tif 000006
【図６】
0006479668.tif 000007
【図７Ａ】
0006479668.tif 000008
【図７Ｂ】
0006479668.tif 000009
【図８Ａ】
0006479668.tif 000010
【図８Ｂ】
0006479668.tif 000011
【図８Ｃ】
0006479668.tif 000012
【図９】
0006479668.tif 000013
【図１０】
0006479668.tif 000014
【図１１】
0006479668.tif 000015
【図１２】
0006479668.tif 000016
【図１３】
0006479668.tif 000017
【図１４】
0006479668.tif 000018
【図１５】
0006479668.tif 000019
【図１６】
0006479668.tif 000020
【図１７】
0006479668.tif 000021
【図１８】
0006479668.tif 000022
【図１９】
0006479668.tif 000023
【図２０】
0006479668.tif 000024
【図２１】
0006479668.tif 000025
【図２２】
0006479668.tif 000026
【図２３】
0006479668.tif 000027
【図２４】
0006479668.tif 000028
【図２５】
0006479668.tif 000029
【図２６】
0006479668.tif 000030
【図２７】
0006479668.tif 000031
【図２８】
0006479668.tif 000032
【図２９】
0006479668.tif 000033
【図３０】
0006479668.tif 000034
【図３１】
0006479668.tif 000035
【図３２】
0006479668.tif 000036
【図３３】
0006479668.tif 000037
【図３４】
0006479668.tif 000038
【図３５】
0006479668.tif 000039
【図３６】
0006479668.tif 000040
【図３７】
0006479668.tif 000041
【図３８】
0006479668.tif 000042
【図３９】
0006479668.tif 000043
【図４０】
0006479668.tif 000044
【図４１】
0006479668.tif 000045
【図４２】
0006479668.tif 000046
【図４３】
0006479668.tif 000047
【図４４】
0006479668.tif 000048
【図４５】
0006479668.tif 000049
【図４６】
0006479668.tif 000050